(57)【要約】【課題】着脱可能な記録媒体が装填されていない場合であっても、あたかも着脱可能な記録媒体が装填されているかのごとく番組を記録することができ、かつ、当該番組の着脱可能な記録媒体へのコピー枚数を制限した録画装置を提供する。【解決手段】録画予約情報に含まれる番組指定情報により指定された録画対象番組を記録部３４０に記録し、記録部３４０に記録された録画対象番組を、録画予約情報に含まれる記録媒体指定情報により指定されたディスクに記録するドライブ制御部３２０を備えており、ドライブ制御部３２０が録画対象番組を記録することができるディスクの枚数は、予め定められた枚数に制限されている。【選択図】図１
2011014218.tif 000002
【特許請求の範囲】
【請求項１】
録画予約情報に基づいて着脱可能な記録媒体に番組を記録する録画装置であって、
上記録画予約情報に含まれる番組指定情報により指定された録画対象番組を着脱不能な記録媒体に記録する第１の記録手段と、
上記着脱不能な記録媒体に記録された録画対象番組を、上記録画予約情報に含まれる記録媒体指定情報により指定された着脱可能な記録媒体に記録する第２の記録手段と、を備えており、
上記第２の記録手段が上記録画対象番組を記録することができる着脱可能な記録媒体の枚数は、予め定められた複製可能回数に制限されている、ことを特徴とする録画装置。
【請求項２】
上記第２の記録手段は、上記記録媒体指定情報により指定された着脱可能な記録媒体に、上記録画対象番組を複製不能なコンテンツとして記録する、ことを特徴とする請求項１に記載の録画装置。
【請求項３】
上記第２の記録手段は、上記記録媒体指定情報により指定された着脱可能な記録媒体のうち、特定の記録媒体に、上記録画対象番組を複製可能なコンテンツとして記録し、他の記録媒体に、上記録画対象番組を複製不能なコンテンツとして記録する、ことを特徴とする請求項１に記載の録画装置。
【請求項４】
上記特定の記録媒体の枚数は１枚であり、
上記第２の記録手段は、上記特定の記録媒体に、上記録画対象番組を特定回数だけ複製可能なコンテンツとして記録し、上記他の記録媒体に、上記録画対象番組を複製不能なコンテンツとして記録するものであり、
上記特定回数と上記他の記録媒体の枚数との和が、上記予め定められた複製可能回数に一致するように設定されている、ことを特徴とする請求項３に記載の録画装置。
【請求項５】
上記特定の記録媒体の枚数はＮ枚であり（Ｎは２以上の整数）、上記他の記録媒体の枚数はＭ枚であり（Ｍは０以上の整数）、
上記第２の記録手段は、上記特定の記録媒体のうちｉ番目の記録媒体に、上記録画対象番組を特定回数ｎｉ回複製可能なコンテンツとして記録し（ｉ＝１,２,・・・ ,Ｎ）、上記他の記録媒体の各々に、上記録画対象番組を複製不能なコンテンツとして記録するものであり、
上記特定回数ｎｉの和Σｎｉと上記他の記録媒体の枚数Ｍとの和[（Σｎｉ）＋Ｍ]が、上記予め定められた複製可能回数に一致するように設定されている、ことを特徴とする請求項３に記載の録画装置。
【請求項６】
上記特定の記録媒体を、上記録画予約情報、ユーザーに対し予め定められた優先度、予め定められた視聴制限の有無のうち、少なくとも１つに基づいて選択する選択手段をさらに備える、ことを特徴とする請求項３から５のいずれか１項に記載の録画装置。
【請求項７】
上記第２の記録手段が、上記録画対象番組を上記録画対象番組の複製許諾回数と同数の上記着脱可能な記録媒体に記録した時点で、上記着脱不能な記録媒体に記録されている当該録画対象番組を消去する消去手段をさらに備えており、
上記予め定められた複製可能回数は、上記録画対象番組の複製許諾回数未満に設定されている、ことを特徴とする請求項１から６のいずれか１項に記載の録画装置。
【請求項８】
上記録画予約情報において、上記記録媒体指定情報により指定された着脱可能な記録媒体のそれぞれに設定されている上記録画対象番組の複製可能回数の和が、当該録画対象番組の複製許諾回数を超える場合に、当該複製可能回数の和が当該複製許諾回数以下となるように当該記録媒体のそれぞれに設定されている当該録画対象番組の複製可能回数を設定し直す設定手段をさらに備えている、ことを特徴とする請求項１に記載の録画装置。
【請求項９】
録画予約情報に基づいて着脱可能な記録媒体に番組を記録する録画方法であって、
上記録画予約情報に含まれる番組指定情報により指定された録画対象番組を着脱不能な記録媒体に記録する第１の記録ステップと、
上記着脱不能な記録媒体に記録された録画対象番組を、上記録画予約情報に含まれる記録媒体指定情報により指定された着脱可能な記録媒体に記録する第２の記録ステップと、を含み、
上記第２の記録ステップにおいて、上記録画対象番組を記録することができる着脱可能な記録媒体の枚数は、予め定められた複製可能回数に制限されている、ことを特徴とする録画方法。
【請求項１０】
請求項１から８のいずれか１項に記載の録画装置を備えているコンピュータを動作させるプログラムであって、上記コンピュータを上記の各手段として機能させるためのプログラム。
【請求項１１】
請求項１０に記載のプログラムを記録しているコンピュータ読取り可能な記録媒体。
【発明の詳細な説明】
【技術分野】
【０００１】
本発明は、着脱不可能な記録媒体を備えると共に着脱可能な記録媒体を装填可能な録画装置および当該録画装置におけるデータ書き込み方法に関する。
【背景技術】
【０００２】
いわゆるフルハイビジョンなどの高精細な表示が可能なテレビジョン受像機の普及と共に、フルハイビジョン番組などの大容量データを記録することができるＢｌｕ−ｒａｙディスク（ＢＤ）を搭載可能なレコーダ装置も一般に普及している。
【０００３】
ＢＤを初めとする光ディスクを搭載することができるレコーダ装置は、光ディスクよりもさらに大容量のデータを記録することができるハードディスクを内蔵するタイプ（ハイブリッドレコーダ）と、そのようなハードディスクを備えていないタイプ（ストレートレコーダ）とに大別することができる。
【０００４】
ストレートレコーダは、録画したコンテンツ（番組）をそのレコーダ装置に装填されている光ディスクに対して記録するため、ビデオデッキなどの従前のレコーダ装置と同様の操作方法でレコーダ装置を操作することができる。しかし、光ディスクが装填されていない場合および装填されている光ディスクのデータ容量が不足している場合には、コンテンツを記録することができないため、コンテンツの記録失敗が多くなる。また、ハードディスクと比較してデータの読み出し速度および書き込み速度が劣る光ディスクを用いるため、ユーザーが操作レスポンスにストレスを感じやすい。
【０００５】
ハイブリッドレコーダでは、光ディスクと比較してデータの読み出し速度および書き込み速度が速いハードディスクを使用した録画および再生が可能であり、ユーザーは操作レスポンスにストレスを感じることは少ない。すなわち、ハイブリッドレコーダでは、上述したストレートレコーダの有する問題点が解決されている。
【０００６】
特許文献１には、高速のデコーダとエンコーダを追加することにより、高速のダビングを行いつつ、別の番組を録画したり再生したりできるディスク録画再生装置が開示されている。
【０００７】
一方、特許文献２には、同時録画機能を持つ映像機器により複数のコンテンツを同時録画する方法において、録画対象である複数のコンテンツ内の少なくとも２つ以上のコンテンツにコピーワンスの制限があり、更にこれらが同一である場合は、コンテンツの録画は１つのみ行い、コピー回数を倍増させるコピー制限コンテンツの同時録画の処理方法が開示されている。
【先行技術文献】
【特許文献】
【０００８】
【特許文献１】特開２００３−２２４８１３号公報（平成１５年８月８日公開）
【特許文献２】特開２００８−２３４７７１号公報（平成２０年１０月２日公開）
【発明の概要】
【発明が解決しようとする課題】
【０００９】
特許文献１に記載のディスク録画再生装置によれば、ハードディスクとＤＶＤ−Ｒドライブを搭載したディスク録画再生装置において、ハードディスクの内容をＤＶＤ−Ｒディスクに高速ダビングを行いながら、ハードディスクに録画したり、再生したりできるので非常に有用である。
【００１０】
しかしながら、２００８年７月にデジタルＴＶ放送で運用が開始された著作権保護方法であるダビング１０（コピー９回とムーブ１回までを許諾する方法）のようなコピー制御方法の運用下で実施可能なダビング方法についての提案はされていない。
【００１１】
一方、特許文献２に記載のコピー制限コンテンツの同時録画の処理方法によれば、複数の同一コンテンツを録画する際に、コピー回数のみを倍増させることで実際は１つの録画で同時録画と同様の効果を得ることができる。
【００１２】
しかしながら、同様に、ダビング１０のようなコピー制御方法の運用下で実施可能な複製方法についての提案はされていない。
【００１３】
また、そもそも高齢者などのハイブリッドレコーダに不慣れなユーザーにとっては、コンテンツ（番組）がハードディスクに対して記録されるという概念が判り難いため、ハイブリッドレコーダの操作方法が理解できないことが多い。さらに、他装置においてコンテンツを再生する場合には、ハードディスクに記録されているコンテンツを光ディスクにコピーするという処理が生じる。この場合、ユーザーがコンテンツを記録する光ディスクを選択してレコーダ装置に装填する必要があるため、ユーザーの意図しない光ディスクに対してコンテンツを記録してしまうなどのミスが生じるという問題を有している。
【００１４】
本発明は、上記問題点に鑑みてなされたものであり、その主たる目的は、着脱可能な記録媒体が装填されていない場合であっても、あたかも着脱可能な記録媒体が装填されているかのごとくコンテンツを記録することができ、かつ、当該コンテンツの着脱可能な記録媒体へのコピー枚数を制限した録画装置を提供することである。
【課題を解決するための手段】
【００１５】
本発明に係る録画装置は、上記課題を解決するために、録画予約情報に基づいて着脱可能な記録媒体に番組を記録する録画装置であって、上記録画予約情報に含まれる番組指定情報により指定された録画対象番組を着脱不能な記録媒体に記録する第１の記録手段と、上記着脱不能な記録媒体に記録された録画対象番組を、上記録画予約情報に含まれる記録媒体指定情報により指定された着脱可能な記録媒体に記録する第２の記録手段と、を備えており、上記第２の記録手段が上記録画対象番組を記録することができる着脱可能な記録媒体の枚数は、予め定められた複製可能回数に制限されている、ことを特徴としている。
【００１６】
本発明に係る録画装置は、番組指定情報により指定された録画対象番組を着脱不能な記録媒体に記録する第１の記録手段と、着脱不能な記録媒体に記録された録画対象番組を、記録媒体指定情報により指定された着脱可能な記録媒体に記録する第２の記録手段と、を備えている。このとき、第２の記録手段が録画対象番組を記録することができる着脱可能な記録媒体の枚数は、予め定められた枚数に制限されている。
【００１７】
本発明に係る録画装置において設定される録画予約情報には、録画対象となる番組を指定する番組指定情報および録画対象となる番組を記録する着脱可能な記録媒体を指定する記録媒体指定情報が含まれている。
【００１８】
このように、本発明に係る録画装置では、着脱可能な記録媒体を録画装置に装填していない場合であっても、録画予約情報に含まれている番組指定情報により指定された録画対象番組を着脱不能な記録媒体に記録しておくことができる。そして、該録画予約情報に含まれている記録媒体指定情報により指定された着脱可能な記録媒体が装填されたときに、着脱不能な記録媒体に記録しておいた録画対象番組を着脱可能な記録媒体に記録し直すことができる。
【００１９】
これによって、ユーザーが所望しない着脱可能な記録媒体に対して録画対象番組が記録されてしまうことを防ぐことができる。また、本発明に係る録画装置では、録画対象番組を記録可能な（着脱可能な）記録媒体の枚数が制限されているので、録画対象番組が無制限に複製されることを防ぐことができる効果を奏する。
【００２０】
本発明に係る録画装置では、さらに、上記第２の記録手段は、上記記録媒体指定情報により指定された着脱可能な記録媒体に、上記録画対象番組を複製不能なコンテンツとして記録する、ことが好ましい。
【００２１】
上記の構成によれば、着脱可能な記録媒体から録画対象番組をさらに複製することを防止することができる。これによって、録画対象番組が無制限に複製されることを防止することができる効果を奏する。
【００２２】
本発明に係る録画装置では、さらに、上記第２の記録手段は、上記記録媒体指定情報により指定された着脱可能な記録媒体のうち、特定の記録媒体に、上記録画対象番組を複製可能なコンテンツとして記録し、他の記録媒体に、上記録画対象番組を複製不能なコンテンツとして記録する、ことが好ましい。
【００２３】
上記の構成によれば、予め指定された着脱可能な記録媒体のうち、特定の記録媒体に対しては、録画対象番組の複製が可能となる。すなわち、着脱不能な記録媒体に記録された録画対象番組を親コンテンツ、着脱可能な記録媒体に記録された録画対象番組を子コンテンツとすると、特定の記録媒体からは、孫コンテンツを作製することができる。
【００２４】
これによって、特定の記録媒体を、親コンテンツまたは子コンテンツが削除（消去）されてしまった場合のバックアップとして利用することができる効果を奏する。
【００２５】
本発明に係る録画装置では、さらに、上記特定の記録媒体の枚数は１枚であり、上記第２の記録手段は、上記特定の記録媒体に、上記録画対象番組を特定回数だけ複製可能なコンテンツとして記録し、上記他の記録媒体に、上記録画対象番組を複製不能なコンテンツとして記録するものであり、上記特定回数と上記他の記録媒体の枚数との和が、上記予め定められた複製可能回数に一致するように設定されている、ことが好ましい。
【００２６】
上記の構成によれば、孫コンテンツを作製することができる回数と、子コンテンツを作製することができる回数との和は、録画装置において予め定められている複製可能回数に一致する。すなわち、録画対象番組を記録した記録媒体の延べ枚数は、本発明に係る録画装置において予め定められた複製可能回数に一致する。
【００２７】
これによって、孫コンテンツを作製することができる場合であっても、録画対象番組が無制限に複製されることを防止することができる効果を奏する。
【００２８】
本発明に係る録画装置では、さらに、上記特定の記録媒体の枚数はＮ枚であり（Ｎは２以上の整数）、上記他の記録媒体の枚数はＭ枚であり（Ｍは０以上の整数）、上記第２の記録手段は、上記特定の記録媒体のうちｉ番目の記録媒体に、上記録画対象番組を特定回数ｎｉ回複製可能なコンテンツとして記録し（ｉ＝１,２,・・・ ,Ｎ）、上記他の記録媒体の各々に、上記録画対象番組を複製不能なコンテンツとして記録するものであり、上記特定回数ｎｉの和Σｎｉと上記他の記録媒体の枚数Ｍとの和[（Σｎｉ）＋Ｍ]が、上記予め定められた複製可能回数に一致するように設定されている、ことが好ましい。
【００２９】
上記の構成によれば、特定の記録媒体が複数枚の場合であっても、録画対象番組を記録した記録媒体の延べ枚数は、本発明に係る録画装置において予め定められた複製可能回数に一致する。これによって、孫コンテンツを作製することができる場合であっても、録画対象番組が無制限に複製されることを防止することができる効果を奏する。
【００３０】
本発明に係る録画装置では、さらに、上記特定の記録媒体を、上記録画予約情報、ユーザーに対し予め定められた優先度、予め定められた視聴制限の有無のうち、少なくとも１つに基づいて選択する選択手段をさらに備える、ことが好ましい。
【００３１】
上記の構成によれば、上記選択手段が、特定の記録媒体を、上記録画予約情報、ユーザーに対し予め定められた優先度、予め定められた視聴制限の有無のうちいずれか１つまたは複数に基づいて選択するため、ユーザーからの指示によらずとも、特定のマイディスクが効率的かつ適切に選択されるという効果を奏する。
【００３２】
本発明に係る録画装置では、さらに、上記第２の記録手段が、上記録画対象番組を上記録画対象番組の複製許諾回数と同数の上記着脱可能な記録媒体に記録した時点で、上記着脱不能な記録媒体に記録されている当該録画対象番組を消去する消去手段をさらに備えており、上記予め定められた複製可能回数は、上記録画対象番組の複製許諾回数未満に設定されている、ことが好ましい。
【００３３】
上記の構成によれば、第２の記録手段により着脱可能な記録媒体に記録することができる枚数を、録画対象番組の複製許諾回数未満とする。これによって、録画対象番組を着脱可能な記録媒体に残しておくことができる効果を奏する。
【００３４】
本発明に係る録画装置は、上記録画予約情報において、上記記録媒体指定情報により指定された着脱可能な記録媒体のそれぞれに設定されている上記録画対象番組の複製可能回数の和が、当該録画対象番組の複製許諾回数を超える場合に、当該複製可能回数の和が当該複製許諾回数以下となるように当該記録媒体のそれぞれに設定されている当該録画対象番組の複製可能回数を設定し直す設定手段をさらに備えている、ことが好ましい。
【００３５】
上記の構成によれば、着脱可能な記録媒体毎に設定された複製可能回数の総和が録画対象番組の複製許諾回数より大きい場合には、設定手段が、記録媒体ごとの複製可能回数の総和が複製許諾回数以下になるように記録媒体ごとの複製可能回数を再設定するので、バックアップ用の記録媒体を確実に作成できるという効果を奏する。
【００３６】
本発明に係る録画方法は、上記課題を解決するために、録画予約情報に基づいて着脱可能な記録媒体に番組を記録する録画方法であって、上記録画予約情報に含まれる番組指定情報により指定された録画対象番組を着脱不能な記録媒体に記録する第１の記録ステップと、上記着脱不能な記録媒体に記録された録画対象番組を、上記録画予約情報に含まれる記録媒体指定情報により指定された着脱可能な記録媒体に記録する第２の記録ステップと、を含み、上記第２の記録ステップにおいて、上記録画対象番組を記録することができる着脱可能な記録媒体の枚数は、予め定められた複製可能回数に制限されている、ことを特徴としている。
【００３７】
上記の構成によれば、本発明に係る録画装置と同様の作用効果を奏する。
【００３８】
また、本発明に係る録画装置を動作させるためのプログラムであって、コンピュータを上記の各手段として機能させることを特徴とするプログラム、および、それらのプログラムを記録したコンピュータ読み取り可能な記録媒体についても本発明の範疇に含まれる。
【発明の効果】
【００３９】
以上説明したように、本発明に係る録画装置は、番組指定情報により指定された録画対象番組を着脱不能な記録媒体に記録する第１の記録手段と、着脱不能な記録媒体に記録された録画対象番組を、記録媒体指定情報により指定された着脱可能な記録媒体に記録する第２の記録手段と、を備えている。このとき、第２の記録手段が録画対象番組を記録することができる着脱可能な記録媒体の枚数は、予め定められた枚数に制限されている。
【００４０】
これによって、ユーザーが所望しない着脱可能な記録媒体に対して録画対象番組が記録されてしまうことを防ぐことができる。また、本発明に係る録画装置では、録画対象番組を記録可能な（着脱可能な）記録媒体の枚数が制限されているので、録画対象番組が無制限に複製されることを防ぐことができる効果を奏する。
【図面の簡単な説明】
【００４１】
【図１】実施形態に係るレコーダ装置の要部構成を示すブロック図である。
【図２】ドライブ部に備えられた記憶部の初期化処理を示す図であり、（ａ）は記憶部の初期化の際の表示装置における表示の一例を示し、（ｂ）は初期化処理後の記憶部を模式的に示している。
【図３】光ディスクの登録処理を示す図であり、（ａ）は光ディスクの登録処理の際の表示装置における表示の一例を示し、（ｂ）は光ディスクの登録処理後の記憶部を模式的に示している。
【図４】実施形態に係るレコーダ装置における予約登録処理を示す図であり、（ａ）は予約登録処理後の記憶部の状態を模式的に示し、（ｂ）は予約登録処理後の記憶部およびマイディスクの状態を模式的に示し、（ｃ）は予約登録処理の際の表示装置における表示の一例を示している。
【図５】マイディスクが搭載されている状態での録画処理を示す図であり、（ａ）は録画処理後の記憶部およびマイディスクの状態を模式的に示し、（ｂ）は録画処理後の記憶部の状態を模式的に示している。
【図６】コンテンツ１を録画した際の各記憶部の状態を示す図であり、（ａ）は領域１におけるコンテンツの記録状態に対応するディスク１の記録状態の対応関係を示し、（ｂ）はコンテンツ１を記録した際のマップテーブルを示し、（ｃ）はコンテンツ１を記録した際のタイトル管理テーブルを示している。
【図７】実施形態に係るレコーダ装置においてマイディスクが搭載されていない状態での録画処理を示す図であり、（ａ）は録画処理後の記憶部の状態を模式的に示し、（ｂ）は録画処理後の記憶部の状態を模式的に示している。
【図８】コンテンツ２を録画した際の各記憶部の状態を示す図であり、（ａ）は領域１におけるコンテンツの記録状態に対応するディスク１の記録状態の対応関係を示し、（ｂ）はコンテンツ２を記録した際のマップテーブルを示し、（ｃ）はコンテンツ２を記録した際のタイトル管理テーブルを示している。
【図９】コンテンツの同期処理後の記憶部およびディスク１の状態を示す図である。
【図１０】コンテンツ２を同期処理した際の各記憶部の状態を示す図であり、（ａ）は領域１におけるコンテンツの記録状態に対応するディスク１の記録状態の対応関係を示し、（ｂ）はコンテンツ２を同期処理させた際のマップテーブルを示し、（ｃ）はコンテンツ２を同期処理させた際のタイトル管理テーブルを示している。
【図１１】コンテンツ２を同期処理した際の各記憶部の状態を示す図であり、（ａ）は仮想ディスクイメージにおけるコンテンツ２の先頭アドレスを先頭アドレスとするコンテンツ３がディスク１に記録されている状態を示し、（ｂ）はコンテンツ２をコンテンツ３に続くように仮想ディスクイメージを変更した状態を示し、（ｃ）はコンテンツ２を同期処理させた際のマップテーブルを示し、（ｄ）はコンテンツ２を同期処理させた際のタイトル管理テーブルを示している。
【図１２】実施形態に係るレコーダ装置における予約登録処理を示す図であり、（ａ）は予約登録処理後の記憶部の状態を模式的に示し、（ｂ）は予約登録処理後の記憶部およびマイディスク（ディスク１、ディスク２）の状態を模式的に示し、（ｃ）は予約登録処理の際の表示装置における表示の一例を示している。
【図１３】マイディスクが搭載されている状態での録画処理を示す図であり、（ａ）は録画処理後の記憶部およびマイディスク（ディスク１、ディスク２）の状態を模式的に示し、（ｂ）は録画処理後の記憶部の状態を模式的に示している。
【図１４】マイディスク（ディスク１）が搭載されている状態でコンテンツ１を録画した際の各記憶部の状態を示す図であり、（ａ）は領域１におけるコンテンツの記録状態に対応するディスク１、仮想ディスクイメージ１および仮想ディスクイメージ２の記録状態の対応関係を示し、（ｂ）はコンテンツ１を記録した際のマップテーブルを示し、（ｃ）はコンテンツ１を記録した際のタイトル管理テーブルを示している。
【図１５】実施形態に係るレコーダ装置においてマイディスクが搭載されていない状態での録画処理を示す図であり、（ａ）は録画処理後の記憶部の状態を模式的に示し、（ｂ）は録画処理後の記憶部の状態を模式的に示している。
【図１６】マイディスクが搭載されていない状態でコンテンツ１を録画した際の各記憶部の状態を示す図であり、（ａ）は領域１におけるコンテンツの記録状態に対応するディスク１、仮想ディスクイメージ１および仮想ディスクイメージ２の記録状態の対応関係を示し、（ｂ）はコンテンツ１を記録した際のマップテーブルを示し、（ｃ）はコンテンツ１を記録した際のタイトル管理テーブルを示している。
【図１７】記憶部に記録されたコンテンツ１を合計３枚のマイディスク（マイディスク１、マイディスク２、マイディスク３）にダビングするダビング処理を模式的に示す図である。
【図１８】表示装置における表示例を示す図であって、（ａ）はマイディスクへのコンテンツのダビングが終了した際に表示される画像の一例を示し、（ｂ）はコンテンツをムーブする際に表示される画像の一例を示し、（ｃ）はダビング可能回数を超える数のマイディスクに対してコンテンツの録画予約を行おうとする際に表示される画像の一例である。
【図１９】記憶部に記録されたコンテンツ１を、特定のマイディスク（マイディスク１）から複数回のダビングが可能となるように、合計３枚のマイディスク（マイディスク１、マイディスク２、マイディスク３）にダビングするダビング処理を模式的に示す図である。
【図２０】記憶部に記録されたコンテンツ１を、ダビング先のマイディスクから複数回のコピーが可能となるように、合計２枚のマイディスク（マイディスク１、マイディスク２）にダビングするダビング処理を模式的に示す図である。
【図２１】記憶部に記録されたコンテンツ１を合計２枚のマイディスク（マイディスク１、マイディスク２）にダビングするダビング処理であって、記憶部に録画されたコンテンツが上記コピー終了後に「Ｎｏ  Ｍｏｒｅ  Ｃｏｐｙ」なコンテンツに書き換えられるようなダビング処理を模式的に示す図である。
【図２２】コンテンツ１のコピー先のリストを示す画像の一例であり、（ａ）は、メインコピー先とサブコピー先をユーザーが選択するために表示装置に表示される画像の一例を示す図であり、（ｂ）は、メインコピー先を選択した結果を確認するために、表示装置に表示される画像の一例を示す図である。
【図２３】制御部が、同一のコンテンツに対して指定された複数のマイディスクに対する録画画質を比較することにより、特定の１枚のマイディスクを選択する選択処理を示すフローチャートである。
【図２４】各マイディスクに記録されたコンテンツと、録画予約されたコンテンツとの関連性を判定し、最も関連性の高いと判断されたコンテンツが記録されたマイディスクを上記特定の１枚のマイディスクとして選択する選択処理を示すフローチャートである。
【図２５】管理ユーザーが存在する場合で、かつ、管理ユーザーが複数存在する場合には各管理ユーザーに優先度が設定されているような場合に、特定の１枚のマイディスクを選定する選択処理を示すフローチャートである。
【図２６】同一のコンテンツをダビング対象とするマイディスクが３枚以上ある場合に、３枚以上のマイディスクから２枚の特定のマイディスクを選択し、それら特定のマイディスクにダビング可能回数を割り振る選択処理を示すフローチャートである。
【図２７】予約録画が設定されたコンテンツに対して、予約録画が設定されたマイディスクの枚数が許諾されているダビングの回数以下ではない場合にも適用可能なダビング処理を示すフローチャートである。
【発明を実施するための形態】
【００４２】
〔実施形態１〕
本発明に係るレコーダ装置（録画装置）の構成および当該レコーダ装置の動作の概要について、以下に説明する。なお、本実施形態に係るレコーダ装置は、録画対象番組（コンテンツ）を光ディスクに記録する記録機能だけでなく、記録媒体に記録されているコンテンツおよび外部より取得したコンテンツを再生する再生機能を有するレコーダ装置である。
【００４３】
なお、本実施形態では、本発明の最大の特徴点である、同一のコンテンツに対する録画予約が複数設定されている場合におけるレコーダ装置の処理動作の説明に先立って、レコーダ装置の構成およびレコーダ装置の基本的な予約録画動作について以下に説明する。
【００４４】
＜レコーダ装置１００の構成＞
本実施形態に係るレコーダ装置の構成について、図１を参照しつつ以下に説明する。図１は、レコーダ装置１００の要部構成を示すブロック図である。
【００４５】
図１に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００４６】
ドライブ部３００は、従来の光ディスクドライブ装置が備えている機能に加え、以下の新規な機能を有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行なう。以下、このようなバックエンド部２００およびドライブ部３００の構成例について、以下に順に説明する。
【００４７】
バックエンド部２００は、図１に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えている。また、図１に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００４８】
ドライブ部３００は、図１に示すように、インターフェース部３１０、ドライブ制御部（第１の記録手段、第２の記録手段、消去手段）３２０、ディスクドライブ部３３０および記憶部３４０を備えている。また、図１に示すように、インターフェース部３１０、ドライブ制御部３２０、ディスクドライブ部３３０および記憶部３４０は、バスラインを介して互いに接続されている。
【００４９】
本明細書等では、記憶部３４０における各領域に対して対応付けられた光ディスク、すなわち自身の有するメディアＩＤが記憶部３４０に記録されている光ディスクを「マイディスク」と称する。
【００５０】
バックエンド部２００およびドライブ部３００の備える各部材について、以下に説明する。
【００５１】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００５２】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００５３】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００５４】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いても良い。
【００５５】
（バックエンド制御部２４０）
バックエンド制御部２４０は、レコーダ装置１００におけるコンテンツデータの記録および再生全般を制御する。
【００５６】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００５７】
ドライブ部３００に装填されている光ディスクに記録されているコンテンツデータを再生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００５８】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００５９】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が付与されているコンテンツデータを読み出す。そして読み出したコンテンツデータをデコードし、画像処理部２７０に出力する。
【００６０】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００６１】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００６２】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００６３】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、転送方式がシリアルのＡＴＡであるＳＡＴＡに限定されるものではなく、転送方式がパラレルのＡＴＡであるＰＡＴＡ（Parallel AT attachment）を用いても良い。
【００６４】
インターフェース部３１０は、入力されたデータをインターフェース部２９０を介してバックエンド部２００に対して出力する。インターフェース部３１０も、インターフェース部２９０と同様に、ＳＡＴＡ（Serial AT attachment）などとすることができるが、インターフェース部２９０とインターフェース部３１０とは同一規格のインターフェースであることが好ましい。
【００６５】
なお、本実施形態では、インターフェース部２９０、３１０がＳＡＴＡである場合を例に挙げて説明する。
【００６６】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００６７】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００６８】
インターフェース部２９０、３１０がＡＴＡインターフェースである場合、バックエンド制御部２４０からの書き込み命令および読み出し命令は、ＡＴＡコマンドとなる。
【００６９】
また、本実施形態では、所定の領域に対するデータの書き込み命令を実現するために、記憶部３４０におけるいずれの領域（後述するマイディスク）に対してデータを書き込むのかを表す情報（ディスク指定情報）をコマンドに含めてドライブ制御部３２０に出力するようにすることが好ましい。もちろん、ディスク指定情報を含めたコマンドを用いる以外にも、ディスク指定情報を示すコマンドを予め出力して記憶部３４０の記録対象領域（マイディスク）を指定した後に、書き込み命令および書き込み対象データを表すコマンドをドライブ制御部３２０に出力するようにしても良い。いずれの場合であっても、書き込み命令は、ディスク指定情報とデータを書き込むべき領域を指定するアドレス（第１の領域指定情報）とを含むことになる。なお、書き込みの対象となるデータは、書き込み命令と共にバックエンド部２００からドライブ部３００へと出力される。
【００７０】
なお、これは書き込み命令に限るものではなく、読み出し命令についても同様である。
【００７１】
（ディスクドライブ部３３０）
ディスクドライブ部３３０は、ドライブ制御部３２０からの指示に基づいて動作し、装填されている光ディスクからのデータの読み出し、または光ディスクに対するデータの書き込みを実行する。
【００７２】
ディスクドライブ部３３０は、装填されている光ディスクからデータを読み出したり、光ディスク対してデータを書き込んだりするための光ピックアップ部などを備えている。
【００７３】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００７４】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００７５】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図２（ａ）および（ｂ）および図３（ａ）および（ｂ）を参照して説明する。レコーダ装置１００における事前設定は、記憶部３４０の初期化処理と、記憶部３４０に対する光ディスクの登録処理の２つに大別することができる。
【００７６】
＜記憶部３４０の初期化処理＞
記憶部３４０の初期化処理について、図２（ａ）および（ｂ）を参照しつつ説明する。図２（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００７７】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００７８】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図２（ａ）に示すような画像を表示することが好ましい。
【００７９】
なお、記憶部３４０において仮想的に分割される領域の数は、例えば「ｎ個（枚）」などのようにユーザーにより明示的に指示された数であっても良いし、ユーザーの所望する録画画質に応じて設定される数であっても良い。
【００８０】
図２（ｂ）は、初期化処理後の記憶部３４０を示している。図２（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００８１】
管理領域は、図２（ｂ）に示すように、領域１〜領域ｎを管理するマイディスク管理領域と、マイディスク管理領域を管理するメモリ管理領域と、に分けることができる。
【００８２】
マイディスク管理領域には、領域１〜領域ｎの各領域を管理する管理情報が記録されている。図２（ｂ）では、便宜上、領域１を管理する管理情報の記録されている領域を「エントリ１」と称し、以下同様に領域２〜ｎを管理する管理情報の記録されている領域をエントリ２〜ｎと称する。
【００８３】
領域１を管理するエントリ１には、エントリ番号、割り当てフラグ、記録媒体指定情報としてのメディアＩＤ情報、割り当てエリア情報、メディアキー情報およびマップ情報が記録されている。これらの各情報について以下に説明する。
【００８４】
「エントリ番号」は、いずれの領域を管理するのかを示す情報である。例えば、エントリ１は、領域１を管理する管理情報であるため、エントリ番号としては「１」を示す情報が記録されている。
【００８５】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００８６】
「メディアＩＤ」は、光ディスクのメディアＩＤを示す情報である。初期化処理段階では、メディアＩＤの情報は記録されていない。メディアＩＤの情報の記録については、後述の光ディスクの登録処理において説明する。
【００８７】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていても良い。
【００８８】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【００８９】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【００９０】
また、メモリ管理領域には、図２（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【００９１】
なお、記憶部３４０を領域１〜領域ｎに仮想的に分割した時に生じる余りの領域を予備領域として活用するようにしても良い。
【００９２】
＜光ディスクの登録処理＞
次に、記憶部３４０に対する光ディスクの登録処理について、図３（ａ）および（ｂ）を参照しつつ説明する。図３（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【００９３】
光ディスクの登録処理とは、記憶部３４０において仮想的に分割されている各領域を管理するエントリに対して、光ディスクのメディアＩＤを記録する処理である。
【００９４】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【００９５】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【００９６】
なお、上述した光ディスクの登録処理は、読み出したメディアＩＤを割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【００９７】
また、割り当てフラグが「０」であるエントリが複数存在する場合には、いずれのエントリに対してメディアＩＤを記録するのかをユーザーが選択できるようにしても良い。この場合、ドライブ制御部３２０は、ユーザーにより指定されたエントリに対してメディアＩＤを記録する。
【００９８】
なお、メディアＩＤをエントリに記録する際には、表示装置に図３（ａ）に示すような画像を表示するようにすることが好ましい。
【００９９】
図３（ｂ）は、メディアＩＤ「ａａａ」を有する光ディスクをエントリ１に記録した場合における光ディスクの登録後の記憶部３４０の状態を示している。
【０１００】
光ディスクのメディアＩＤをエントリ１に記録した場合、図３（ｂ）に示すように、光ディスクはエントリ１により管理される領域１に対して対応付けられることになる。
【０１０１】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【０１０２】
＜コンテンツの予約録画動作＞
次に、上述した事前設定の完了しているレコーダ装置１００におけるコンテンツ録画動作について、以下に説明する。なお、以下では、レコーダ装置１００が、ある領域に記録したコンテンツをその領域に対応付けられているディスクに同期する場合について説明することにし、レコーダ装置１００が、ある領域に記録したコンテンツを、そのコンテンツを記録した領域以外の領域に対応付けられているディスクに対しても同期する場合については、後に詳述することにする。
【０１０３】
レコーダ装置１００におけるコンテンツ録画動作について、図４（ａ）〜（ｃ）〜図１１（ａ）〜（ｃ）を参照して以下に説明する。なお、ここでは、コンテンツ録画動作として、予約録画処理を例に挙げて説明する。
【０１０４】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１０５】
（予約登録処理）
まず、レコーダ装置１００における予約登録処理について、図４（ａ）〜（ｃ）を参照しつつ以下に説明する。図４（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１０６】
予約登録処理とは、記憶部２８０および光ディスクに対して予約情報を登録する処理である。予約登録処理については、記憶部３４０の領域１に対応付けられたディスク１を装填している場合を例に挙げて説明する。
【０１０７】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図４（ａ）に示すように、「録画チャンネル」、「録画年月日」および「録画時間」などの番組指定情報と共に、「記録対象マイディスク」の情報を含む。以下、記録対象マイディスク情報として、装填されているマイディスクのメディアＩＤを例に挙げて説明するが、マイディスクを識別可能な情報であれば他の情報であっても良い。なお、予約情報に含まれる各情報は、ユーザーが入力するようにしても良いし、電子番組表においてユーザーが選択した番組を表す番組情報に基づいて設定するようにしても良い。
【０１０８】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図４（ｂ））。このとき、ディスク１には、既にメディアＩＤは記録されているため、メディアＩＤについては記録しなくても良い。
【０１０９】
なお、予約情報の設定の際にユーザーが記録対象マイディスクを選択することができるようにしても良い。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１１０】
図４（ｃ）には、記憶部３４０の領域１に対応付けられたディスク１を装填している場合に予約登録した際の表示装置に表示する画像の一例を示している。
【０１１１】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図５（ａ）および（ｂ）を参照しつつ以下に説明する。図５（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１１２】
コンテンツ１の録画が完了すると、図５（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１１３】
次に、コンテンツ１を記憶部３４０の領域１およびディスク１に記録した際の記憶部３４０および記憶部２８０の状態について図６（ａ）〜（ｃ）を参照しつつ以下に説明する。図６（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１１４】
ここで、一般的には、記憶部３４０の領域１とディスク１とのデータ容量は異なる。そのため、領域１では、物理アドレスとは別に、ディスク１におけるアドレス（第１の領域指定情報）と一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１１５】
図６（ａ）には、記憶部３４０の領域１における仮想ディスクイメージを示している。図６（ａ）に示すように、記憶部３４０の領域１において、物理アドレス（第２の領域指定情報）「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１１６】
続いて、図６（ａ）において示した物理アドレスと仮想アドレスとの関連付けを実現するためのマップテーブルについて、図６（ｂ）を参照しつつ説明する。
【０１１７】
マップテーブルは、記憶部３４０のマイディスク管理領域におけるマップ情報として記録されている。マップテーブルは、図６（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１１８】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１１９】
マップテーブルは、コンテンツ１が領域１に記録されると共に内容が更新される。記憶部３４０の領域１が図６（ａ）に示す状態である場合のマップテーブルを、図６（ｂ）に示す。図６（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１２０】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１２１】
なお、図６（ｂ）におけるエントリパラメータとは、エントリ番号、メディアＩＤ情報、割り当てエリア情報などを記録する領域であり、エントリデータ領域とは、メディアキー情報および領域１におけるトラック情報などを記録する領域である。
【０１２２】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図６（ｃ）を参照して説明する。なお、タイトル管理領域は、記憶部３４０において仮想的に分割されている領域の数だけ記憶部２８０に設けられている。
【０１２３】
タイトル管理テーブルには、図６（ｃ）に示すように、各コンテンツを示すタイトル名に対して、コンテンツの再生所要時間、コンテンツの録画画質、コンテンツのダビング可能回数（複製可能回数、最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１２４】
図６（ｂ）に示したマップテーブルを設定したときのタイトル管理テーブルの一例を、図６（ｃ）に示している。このとき、タイトル１におけるダビング可能回数は、コンテンツ１をディスク１へ記録したため、残り１０回から１回減算されて「９」回となっている。
【０１２５】
なお、上記説明では、２００８年７月より日本でのデジタルテレビ放送にて運用が開始された著作権保護のためのコピー制御方法である「ダビング１０」におけるダビング回数制御と同様な方法を例にとり説明を行ったが、もちろんこれに限定されるものではなく、例えば他の実施可能かつ運用可能なコピー制御があれば、この他のコピー制御方法に沿ったダビング回数制御を行っても良い。また、以下の説明におけるダビング回数制御においても同様である。
【０１２６】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図７（ａ）および（ｂ）を参照しつつ以下に説明する。図７（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１２７】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３３０にディスク１が装填されていないため、バックエンド制御部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１２８】
コンテンツ２の録画が終了すると、図７（ｂ）に示すように、バックエンド制御部２４０は記憶部２８０における予約情報管理領域からコンテンツ２の予約録画を示す予約情報を消去する。
【０１２９】
次に、コンテンツ２を記憶部３４０の領域１に記録した際の記憶部３４０および記憶部２８０の状態について図８（ａ）〜（ｃ）を参照しつつ以下に説明する。図８（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１３０】
図８（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１３１】
コンテンツ２が領域１に記録されると共に、記憶部３４０のエントリ１におけるマップ情報に記録されているマップテーブルも更新される。記憶部３４０の領域１が図８（ａ）に示す状態のマップテーブルを、図８（ｂ）に示す。図８（ｂ）に示すように、図６（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１３２】
また、図８（ｃ）には、図８（ｂ）に示したマップテーブルが設定されたときのタイトル管理テーブルの一例を示している。図８（ｃ）に示すように、タイトル管理テーブルでは、図６（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２におけるダビング可能回数は「１０」回のままであり、同期状態は未同期を示す情報である。
【０１３３】
（コンテンツの同期処理）
次に、記憶部３４０に記録されたコンテンツであってマイディスクに対して記録されていないコンテンツを、マイディスクに対して記録する同期処理について、図９〜図１１（ａ）〜（ｃ）を参照して以下に説明する。
【０１３４】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図９）。すなわち、コンテンツ２は同期状態となる。
【０１３５】
ドライブ制御部３２０は、ディスク１に対するコンテンツ２の書き出しが完了すると、バックエンド部２００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１３６】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図９）。なお、図９は、コンテンツの同期処理後の記憶部３４０およびディスク１の状態を示す図である。
【０１３７】
次に、記憶部３４０の領域１に記録されているコンテンツ２をディスク１に書き出した際の記憶部３４０および記憶部２８０の状態について図１０（ａ）〜（ｃ）を参照しつつ以下に説明する。図１０（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１３８】
図１０（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１３９】
コンテンツ２の同期処理が完了すると、図１０（ｂ）に示すように、エントリ１のマップ情報に記録されているマップテーブルの同期フラグが、コンテンツがマイディスクに記録されていることを表す「１」となる。また、図１０（ｃ）に示すように、記憶部２８０に記録されているディスク１のタイトル管理テーブルにおいて、タイトル２におけるダビング可能回数が１減算されて「９」回となると共に、同期状態が同期を示す情報に変更される。
【０１４０】
次に、ディスク１において「０ｘ２５０」を先頭アドレスとするコンテンツ（コンテンツ３）が既に記録されている場合のコンテンツ２の同期処理について、図１１（ａ）〜（ｄ）を参照して以下に説明する。
【０１４１】
図１１（ａ）〜（ｄ）は、コンテンツ２を同期処理した際の記憶部３４０および記憶部２８０の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１４２】
図１１（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１４３】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１４４】
このとき、領域１のマップテーブルについても、図１１（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１４５】
同様に、図１１（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および録画画質）が登録される。このとき、コンテンツ３は、ディスク１にのみ記録されているコンテンツであり、ダビングすることはできないため、タイトル３におけるダビング可能回数は表示されない。
＜同一コンテンツの複数のマイディスクに対する予約録画動作＞
以上が、レコーダ装置１００が、ある領域に記録したコンテンツをその領域に対応付けられているディスクに同期する場合の動作である。
【０１４６】
以下では、２００８年７月より日本でのデジタルテレビ放送にて運用が開始された著作権保護のためのコピー制御方法である「ダビング１０」への対応を念頭に、レコーダ装置１００が、ある領域に記録したコンテンツを、そのコンテンツを記録した領域以外の領域に対応付けられているディスクに対しても同期する場合の動作について、図１２（ａ）〜（ｃ）〜図１６（ａ）〜（ｃ）を参照して説明する。
【０１４７】
具体的には、レコーダ装置１００に対して、複数のユーザーが別々に、同一のコンテンツを予約登録した場合のコンテンツ録画動作について説明する。
【０１４８】
なお、上記の＜コンテンツの予約録画動作＞において説明した動作と同様の動作については、適宜説明を省略し、同一コンテンツに対して複数のマイディスクが指定される場合に特有の動作について説明を行う。
【０１４９】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１５０】
（予約登録処理）
まず、すでに同期先としてマイディスク１を指定した録画予約が設定されているコンテンツ１に対して、同期先としてマイディスク２を指定した録画予約が設定される場合のレコーダ装置１００における予約登録処理について、図１２（ａ）〜（ｃ）を参照しつつ以下に説明する。
【０１５１】
なお、マイディスク２は、記憶部３４０における領域２に対して対応付けられたマイディスクである。
【０１５２】
図１２（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１およびマイディスク２の状態を模式的に示した図であり、（ｃ）は予約登録処理の際の表示装置における表示の一例を示した図である。
【０１５３】
以下では、予約登録処理については、記憶部３４０の領域１に対応付けられたディスク１が装填されている場合を例に挙げて説明する。
【０１５４】
なお、説明の便宜上、同期先としてマイディスク１を指定したコンテンツ１の予約登録を示す予約情報を予約情報１と呼び、同期先としてマイディスク２を指定したコンテンツ２の予約登録を示す予約情報を予約情報２と呼ぶことにする。また、マイディスク２のメディアＩＤは「ｂｂｂ」であるとする。
【０１５５】
ユーザーが操作入力部を介して予約情報２を入力すると、バックエンド制御部２４０は、予約情報２を記憶部２８０の予約情報管理領域に記録すると共に、すでに記録されている予約情報１との比較を行う。
【０１５６】
上記の予約情報は、図１２（ａ）に示すように、「録画チャンネル」、「録画年月日」および「録画時間」と共に、「記録対象マイディスク」の情報を含んでいる。
【０１５７】
バックエンド制御部２４０は、具体的には、「録画チャンネル」、「録画年月日」および「録画時間」などについて、予約情報１と予約情報２との比較を行う。
【０１５８】
上記比較の結果、予約情報１により録画されるコンテンツ１と、予約情報２により録画されるコンテンツ２とが同一のコンテンツであると判定された場合には、バックエンド制御部２４０は、記憶部２８０の予約情報管理領域に、コンテンツ１とコンテンツ２とが同一のコンテンツであることを示す重複情報を記録する。
【０１５９】
なお、予約情報の比較に用いられる情報は、上記の情報に限定されるものではなく、番組タイトル、キーワード識別子などの情報について比較を行っても良い。
【０１６０】
また、予約情報が３つ以上ある場合であって、バックエンド制御部２４０による比較の結果、それぞれの予約情報により録画されるコンテンツ（コンテンツ１、コンテンツ２、コンテンツ３、．．．）が同一であると判定された場合には、バックエンド制御部２４０は、記憶部２８０の予約情報管理領域に、各コンテンツが同一であることを示す重複情報を記録する。
【０１６１】
バックエンド制御部２４０は、予約情報を記憶部２８０に記録すると共に、ドライブ制御部３２０に対して、ドライブ部３００に装填されているディスク１に対して、ディスク１を同期先として指定している予約情報を書き込むように指示しても良い。その場合、ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図１２（ｂ））。このとき、ディスク１には、既にメディアＩＤは記録されているため、メディアＩＤについては記録しなくても良い。
【０１６２】
なお、予約情報の設定の際にユーザーが記録対象マイディスクを選択することができるようにしても良い。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１６３】
図１２（ｃ）には、記憶部３４０の領域１に対応付けられたディスク１を装填している場合に予約登録した際の表示装置に表示する画像の一例を示している。図１２（ｃ）に示すように、装填されているマイディスク（ディスク１）に対して予約録画がされていることを表示すると共に、装填されていないマイディスク（ディスク２）に対しても同一のコンテンツが予約録画されている状態であることを示す表示がなされることが好ましい。
【０１６４】
（マイディスクが装填されている場合の録画処理）
続いて、記憶部２８０の予約情報管理領域に記録されている予約情報に含まれているメディアＩＤのうち、何れかのメディアＩＤを有するマイディスクがドライブ部３００に装填されている場合の録画処理について、図１３（ａ）および（ｂ）を参照しつつ以下に説明する。図１３（ａ）および（ｂ）は、レコーダ装置１００においてマイディスクが装填されている状態での録画処理を示す図であり、（ａ）は録画処理後の記憶部３４０の状態を模式的に示した図であり、（ｂ）は録画処理後の記憶部２８０の状態を模式的に示した図である。
【０１６５】
記憶部２８０の予約管理領域に、予約情報により録画されるコンテンツが同一であることを示す重複情報が記憶されている場合、バックエンド制御部２４０は、重複情報の記録されている予約情報の中から、１つの予約情報を選択し、選択した予約情報に基づいて、コンテンツの録画を実行する。
【０１６６】
従って、他の重複情報の記録されている予約情報に基づいたコンテンツの録画は実行されない。これにより、同一コンテンツを複数の領域に記憶することによる記録部２８０のメモリ容量の浪費を防ぐことができる。
【０１６７】
なお、予約情報の選び方については、特に限定されるものではない。例えば、重複情報の記録されている予約情報のうち、最初に予約登録がされた予約情報を選ぶようにしても良いし、コンテンツを記録すべき対象として設定されているマイディスクのうち、ドライブ部３００に装填されているマイディスクに対してコンテンツを記録するように設定されている予約情報を選ぶようにしても良い。
【０１６８】
以下では、具体的に、ディスク１を同期先として指定した予約情報に基づいてコンテンツの録画が実行される場合を例に挙げて説明を行う。
【０１６９】
コンテンツ１の録画が完了すると、図１３（ｂ）に示すように、バックエンド制御部２４０は、ディスク１を同期先として指定したコンテンツ１の予約録画を示す予約情報とディスク２を同期先として指定したコンテンツ２（コンテンツ１と同一）の予約録画を示す予約情報とを記憶部２８０における予約情報管理領域から消去する。また、ディスク１の予約情報管理領域に予約情報が書き込まれている場合には、コンテンツ１のディスク１への記録が完了すると、ドライブ制御部３２０はディスク１の予約情報管理領域に記録されている予約情報を消去するようにディスクドライブ部３３０に対して指示する。
【０１７０】
次に、コンテンツ１を記憶部３４０の領域１およびディスク１に記録した際の記憶部３４０および記憶部２８０の状態について図１４（ａ）〜（ｃ）を参照しつつ以下に説明する。図１４（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１、仮想ディスクイメージ１および仮想ディスクイメージ２の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１７１】
ここで、一般的には、記憶部３４０の領域１とディスク１とのデータ容量は異なり、また領域２とディスク２とのデータ容量は異なる。そのため、領域１では、物理アドレスとは別に、ディスク１におけるアドレス（第１の領域指定情報）と一致するような仮想アドレスが割り当てられている。同様に、領域２では、物理アドレスとは別に、ディスク２におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１もしくはディスク２に記録されているかのように扱うことができる。
【０１７２】
図１４（ａ）は、記憶部３４０の領域１および領域２における仮想ディスクイメージ（それぞれ仮想ディスクイメージ１および仮想ディスクイメージ２と呼ぶ）を示している。図１４（ａ）に示すように、記憶部３４０の領域１において、物理アドレス（第２の領域指定情報）「０ｘ０００」を先頭アドレスとしてコンテンツ１（データ容量：ＸＧＢ）が記録されており、仮想ディスクイメージ１上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１７３】
一方で、上記のように、バックエンド制御部２４０は、重複情報の記録されている予約情報の中から、１つの予約情報（本例においてはディスク１を指定した予約情報）を選択し、選択した予約情報に基づいて、コンテンツの録画を実行するため、コンテンツ１と同一であると判断されたコンテンツ２は記憶部３４０の領域２には記憶されない（図１４（ａ））。
【０１７４】
しかしながら、以下に説明するように、仮想ディスクイメージ２上では、コンテンツ２は仮想アドレス「０ｘ０５０」を先頭アドレスとして記録される。すなわち、コンテンツ２をディスク２に対して書き込む場合、ドライブ制御部３２０は、ディスクドライブ部３３０に対して、ディスク２のアドレス「０ｘ０５０」を表すセクタからコンテンツ２を書き込むように指示する。
【０１７５】
なお、上記の例では、ディスク１を指定したコンテンツ１に対する仮想アドレスとディスク２を指定したコンテンツ２に対する仮想アドレスを共に「０ｘ０５０」としたが、ディスク１およびディスク２に、すでにコンテンツが書き込まれているような場合には、両者の仮想アドレスは上記とは異なる場合もある。
【０１７６】
次に、図１４（ａ）において示した物理アドレスと仮想アドレスとの関連付けを実現するためのマップテーブルについて、図１４（ｂ）を参照しつつ説明する。
【０１７７】
マップテーブルは、記憶部３４０のマイディスク管理領域におけるマップ情報として記録されている。マップテーブルは、図１４（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１７８】
なお、説明の便宜上、エントリ１に記録されたマップ情報であるマップテーブルをマップテーブル１と呼び、エントリ２に記録されたマップ情報であるマップテーブルをマップテーブル２と呼ぶことにする。
【０１７９】
上述したように、コンテンツ１とコンテンツ２はバックエンド制御部２４０により同一のコンテンツであると判定されているので、図１４（ｂ）に示すように、コンテンツ２に対するメモリマップには、コンテンツ１に対するメモリマップに割り当てられたアドレスおよびデータサイズと同一のアドレスおよびデータサイズが割り当てられている。
【０１８０】
すなわち、バックエンド制御部２４０により同一と判定された複数のコンテンツの中で実際には録画が実行されなかったコンテンツにおけるメモリマップには、実際に録画が実行されたコンテンツのメモリマップに割り当てられた情報と同一の情報が割り当てられる。
【０１８１】
マップテーブル１は、コンテンツ１が領域１に記録されると共に内容が更新され、マップテーブル２は、コンテンツ２と同一であると判断されたコンテンツ１が領域１に記録されると共に内容が更新される。
【０１８２】
記憶部３４０の領域１および領域２が図１４（ａ）に示す状態である場合のマップテーブルを、図１４（ｂ）に示す。図１４（ｂ）に示すように、マップテーブル１は、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。マップテーブル２は、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。
【０１８３】
また、領域１からディスク１への書き込みが完了すると共に、マップテーブルにおける同期フラグが、コンテンツがマイディスクに記録されていることを表す「１」となる。一方、領域２からディスク２への書き込みは未だ行われていないので、マップテーブルにおける同期フラグは「０」である。
【０１８４】
また、コンテンツ１が領域１に記録されると共に、記憶部２８０におけるディスク１のタイトル管理領域にタイトル管理情報として記録されているタイトル管理テーブルが更新される。また、コンテンツ１と同一のコンテンツであるコンテンツ２に対応するディスク２のタイトル管理領域にタイトル管理情報として記録されているタイトル管理テーブルが更新される。コンテンツ１およびコンテンツ２に関する情報が設定されるコンテンツ管理領域に記録されているタイトル管理テーブルについて、図６（ｃ）を参照して説明する。なお、タイトル管理領域は、記憶部３４０において仮想的に分割されている領域の数だけ記憶部２８０に設けられている。
【０１８５】
タイトル管理テーブルには、図６（ｃ）に示すように、各コンテンツを示すタイトル名に対して、コンテンツの再生所要時間、コンテンツの録画画質、コンテンツのダビング可能回数（ここでは最大で１０とする）および同期状態を示す情報が関連付けられて記録されている。なお、コンテンツ１を示すタイトルをタイトル１として表記し、コンテンツ２を示すタイトルをタイトル２として表記するが、本例の場合、コンテンツ１とコンテンツ２は同一であるので、タイトル１とタイトル２は実質的には同一である。同様に、コンテンツ３〜コンテンツｎを示すタイトルをタイトル３〜タイトルｎとして表記する。
【０１８６】
図１４（ｂ）に示したマップテーブルを設定したときのタイトル管理テーブルの一例を、図１４（ｃ）に示している。このとき、タイトル１におけるダビング可能回数は、コンテンツ１をディスク１に同期したため、残り１０回から１回減算されて「９」回となっている。一方で、タイトル２におけるダビング可能回数は、コンテンツ２が未だディスク２に同期されていないため、残り１０回のままである。
【０１８７】
また、タイトル１における同期状態は、コンテンツ１をディスク１へ記録したため「同期」となるが、タイトル２における同期状態は、コンテンツ２が未だディスク２へ記録されていないため、「未同期」となる。
【０１８８】
（マイディスクが装填されていない場合の録画処理）
続いて、記憶部２８０の予約情報管理領域に記録されている予約情報に含まれているメディアＩＤのうち、何れのメディアＩＤを有するマイディスクもドライブ部３００に装填されていない場合の録画処理について、図１５（ａ）および（ｂ）を参照しつつ以下に説明する。図１５（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１８９】
レコーダ装置１００において、ドライブ部３００にコンテンツが記録されるべき何れのディスクも装填されていない場合であっても、バックエンド制御部２４０は当該コンテンツが記録されるべき何れかのディスクに対して記録するようにドライブ制御部３２０に対して指示する。
【０１９０】
以下では、バックエンド制御部２４０がディスク１に対してコンテンツ１を記録するようにドライブ制御部３２０に対して指示する場合を例に説明を行う。
【０１９１】
バックエンド制御部２４０からの指示を受けたドライブ制御部３２０は、ドライブ部３００にディスク１が装填されていないため、バックエンド制御部２４０からのディスク１への書き込み命令を記憶部３４０の領域１への書き込み命令に変換し、コンテンツ１を領域１に記録する。このとき、ディスク１はドライブ部３００に装填されていないため、ディスク１に対してコンテンツ１を記録する処理は実行されない。
【０１９２】
コンテンツ１の録画が終了すると、図１５（ｂ）に示すように、バックエンド制御部２４０は記憶部２８０における予約情報管理領域からコンテンツ１およびコンテンツ１と同一であるコンテンツ２の予約録画を示す予約情報を消去する。
【０１９３】
次に、コンテンツ１を記憶部３４０の領域１に記録した際の記憶部３４０および記憶部２８０の状態について図１６（ａ）〜（ｃ）を参照しつつ以下に説明する。図１６（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１９４】
コンテンツ１が領域１に記録されると共に、記憶部３４０のエントリ１におけるマップ情報に記録されているマップテーブル１およびエントリ２におけるマップ情報に記録されているマップテーブル２も更新される。記憶部３４０の領域１が図１６（ａ）に示す状態のマップテーブル１およびマップテーブル２を、図１６（ｂ）に示す。
【０１９５】
図１６（ｂ）に示すように、マップテーブル１およびマップテーブル２は、図１４（ｂ）に示したマップテーブル１およびマップテーブル２と同じであり、コンテンツ１と同一であると判定されたコンテンツ２についてのメモリマップはコンテンツ１と同じ「０ｘ０００」と設定され、データサイズとしてもコンテンツ１と同じＸＧＢが設定される。
【０１９６】
また、領域１からディスク１への書き込みおよび領域２からディスク２への書き込みのいずれも実行されないため、マップテーブル１におけるコンテンツ１の同期フラグおよびマップテーブル２におけるコンテンツ２の同期フラグは、何れも、コンテンツがマイディスクに記録されていないことを表す「０」となっている。
【０１９７】
また、図１６（ｃ）には、図１６（ｂ）に示したマップテーブルが設定されたときのタイトル管理テーブルの一例を示している。図１６（ｃ）に示すように、タイトル管理テーブルでは、図１４（ｃ）に示したコンテンツ１を示すタイトル１のタイトル管理情報に加えて、コンテンツ２を示すタイトル２のタイトル管理情報が加えられる。このとき、タイトル１は、ディスク１に対して記録されていないため、タイトル１におけるダビング可能回数は「１０」回のままであり、同期状態は未同期を示す情報である。また、タイトル２は、ディスク２に対して記録されていないため、タイトル２におけるダビング可能回数は「１０」回のままであり、同期状態は未同期を示す情報である。
【０１９８】
（コンテンツの同期処理）
記憶部３４０に記録されたコンテンツであってマイディスクに対して記録されていないコンテンツを、マイディスクに対して記録する同期処理については、すでに説明した通りである。
【０１９９】
すなわち、あるディスクがドライブ部３００に装填されると、ドライブ制御部３２０は、当該ディスクに対応したエントリのマップテーブルを参照して、同期フラグが「０」であるコンテンツがあるか否かを判定する。同期フラグが「０」であるコンテンツが存在する場合、ドライブ制御部３２０は、記憶部３４０の当該領域に記録されている当該コンテンツを、当該ディスクに記録する（書き出す）ようにディスクドライブ部３３０に対して指示する。ディスクドライブ部３３０は、ドライブ制御部３２０からの指示を受けて記憶部３４０の当該領域に記録されている当該コンテンツを当該ディスクに書き出す。これによって、記憶部３４０の当該領域に記録されている当該コンテンツが当該ディスクにも記録されている状態になる。すなわち、当該コンテンツは同期状態となる。
【０２００】
ドライブ制御部３２０は、当該ディスクに対する当該コンテンツの書き出しが完了すると、バックエンド部２００に対して当該コンテンツの同期処理が完了したことを通知する。バックエンド制御部２４０は、この通知を受けて、記憶部２８０における当該ディスクのタイトル管理領域に記録されている当該タイトル管理テーブルを更新する。
【０２０１】
また、ドライブ制御部３２０は、当該ディスクに対する当該コンテンツの書き出しが完了すると、ディスクドライブ部３３０に対して、当該ディスクに記録されている当該コンテンツを予約録画するための予約情報の消去を指示する。指示を受けたディスクドライブ部３３０は、当該ディスクの予約情報管理領域に記録されている当該コンテンツを予約録画するための予約情報を削除する。
【０２０２】
なお、上記の説明では、同一のコンテンツを予約録画する予約情報が２つ設定された場合の録画処理を中心に説明を行ったがこれに限定されるものではない。もちろん、同一のコンテンツを予約録画する予約情報が３つ以上設定された場合であっても、本発明を適用することが可能である。
【０２０３】
また、上述した説明では、主に、コンテンツとしてテレビ番組を想定した説明を行ったが、本発明はこれに限られるものではない。具体的には、インターネット上で配信されるコンテンツに対して、ダウンロード録画の予約を行う場合などについても、本発明を適用することが可能である。
【０２０４】
＜ダビング１０への具体的な対応＞
次に、同一コンテンツを録画する予約設定が複数なされた場合の、記録部３４０から各マイディスクへのコンテンツの同期処理について、図１７および図１８（ａ）〜（ｃ）を参照して、以下に説明する。
【０２０５】
なお、本項では、コンテンツのコピー制御方法（いわゆる「ダビング１０」）を考慮したコンテンツの同期処理について説明する。そこで、同期処理の詳細な説明に先立ち、「ダビング１０」の詳細について、以下に説明する。
【０２０６】
「ダビング１０」は、２００８年７月より日本でのデジタルテレビ放送にて運用が開始された著作権保護のためのコピー制御方法である。ダビング１０適用下においては、ダビング１０対応録画機のハードディスク等の内蔵記録媒体に録画されたダビング１０対応コンテンツは、ＢＤやＤＶＤなどの着脱可能な記録媒体に対して、コピー９回＋移動（ムーブ）１回までダビングすることが可能となっている。
【０２０７】
ダビング１０における「コピー」とは、録画されたコンテンツを１世代目とすると、２世代目の作成を９回までに制限することであり、２世代目から３世代目の作成（いわゆる孫コピー）は一切禁止となっている。また、「ムーブ」とは、１世代目から２世代目を作成した後、当該１世代目を消去することである。
【０２０８】
レコーダ装置１００において、予約録画したコンテンツに対してこのようなコピー制御が適用される場合には、マイディスクまたは他の記録領域に対するコンテンツの９回までのコピーおよび１０回目にあたる１回のムーブが可能である。すなわち、本明細書等において、記録部３４０に記録したコンテンツのディスクへの同期処理は、コンテンツのコピー（あるいはムーブ）に相当する処理である。すなわち、本明細書等における同期処理は、コンテンツの「ダビング」処理と換言することもできる。
【０２０９】
続いて、レコーダ装置１００において、同一コンテンツを録画する予約設定が複数なされた場合の、記録部３４０から各マイディスクへのコンテンツのダビング処理の詳細について以下に説明する。
【０２１０】
なお、本項では、まず、下記の条件（１）および（２）を満たす場合のダビング処理について説明する。条件（１）および（２）を満たさない場合のダビング処理の詳細については、後述する。
【０２１１】
条件１）コンテンツを同期処理（ダビング）の対象となるマイディスクの枚数が許諾されているダビングの回数（複製許諾回数）以下であること。すなわち、「ダビング１０」適用下のレコーダ装置では、同期処理の対象となるマイディスクの枚数が、許諾されるダビング回数である１０以下である場合。これは、同期処理の対象となるマイディスクのすべてに対してコンテンツをダビングすることができる条件と換言することができる。
【０２１２】
条件２）同期処理の対象となるマイディスクの何れにも予約録画に必要な容量が確保されている場合。例えば、各マイディスクの予約録画モードが同一で、かつ、予約録画されたコンテンツのサイズが１ＧＢである場合には、当該コンテンツを記録すべきマイディスクの何れにも１ＧＢ以上の書き込み可能な領域が確保されている場合。
【０２１３】
以下では、コンテンツの録画が実行される時点において当該コンテンツをダビングする対象となるマイディスクのうち、何れのマイディスクもドライブ部３００に装填されていない場合と、コンテンツの録画が実行される時点において当該コンテンツをダビングする対象となるマイディスクのうち、何れかのマイディスクがドライブ部３００に装填されている場合における具体的なダビング動作の一例を図１７を参照しつつそれぞれ説明を行う。
【０２１４】
図１７は、記憶部３４０に記録されたコンテンツ１を合計３枚のマイディスク（マイディスク１、マイディスク２、マイディスク３）にダビングするダビング処理を模式的に示す図である。
【０２１５】
なお、図１７では、コンテンツ１が領域１に録画されたものとして図示しているが、コンテンツ１が記憶部３４０におけるその他の領域に記録されている場合であっても、同様に適用することが可能である。
【０２１６】
（録画時にマイディスクが装填されていない場合のダビング処理）
まず、コンテンツ１をダビングする対象となるマイディスク１、マイディスク２、マイディスク３のいずれも装填されていない場合のダビング処理について説明する。
【０２１７】
コンテンツ１の領域１への録画が実行される際、記憶部２８０に記録されるコンテンツ１に関するタイトル管理情報におけるダビング可能回数は１０に設定される。
【０２１８】
次に、上記マイディスクのうち何れか１枚（例えば、マイディスク１）が装填されると、ドライブ制御部３２０は、ディスクドライブ部３３０に対して、装填されたマイディスク１に対してコンテンツ１をダビングするように指示する。このとき、ドライブ制御部３２０は、装填されたマイディスクに対して、コンテンツ１をこれ以上のコピーが不可能（Ｎｏ  Ｍｏｒｅ  Ｃｏｐｙ）なコンテンツとしてダビングするように指示する。すなわち、ディスクドライブ部３３０は、コンテンツ１を第３世代の作成が不可能な形式でマイディスクに対してダビングする。
【０２１９】
コンテンツ１のダビングが完了すると、ドライブ制御部３２０は、バックエンド部２００に対してコンテンツ１のダビングが完了したことを通知する。通知を受けたバックエンド制御部２４０は、コンテンツ１のダビング可能回数を１減ずる。
【０２２０】
コンテンツ１を記録すべきその他のマイディスク（例えば、マイディスク２またはマイディスク３）が装填された際には、コンテンツ１を装填されたマイディスクにダビングする。
【０２２１】
このようにして、マイディスク１、マイディスク２、マイディスク３のすべてについてコンテンツ１のコピーが実行される。このとき、コンテンツ１に関するダビング可能回数は７となる。
【０２２２】
（録画時にマイディスクが装填されている場合のダビング処理）
一方で、コンテンツ１の録画の時点において、コンテンツ１を記録すべきマイディスクであるマイディスク１、マイディスク２、マイディスク３のうち、何れか１枚（例えば、マイディスク１）が装填されている場合には、ドライブ制御部３２０は、記録部３４０に対するコンテンツ１の記録と共に、マイディスク１に対して、コンテンツ１をこれ以上のコピーが不可能（Ｎｏ  Ｍｏｒｅ  Ｃｏｐｙ）なコンテンツとしてダビングする。
【０２２３】
コンテンツ１のダビングが完了すると、ドライブ制御部３２０は、バックエンド部２００に対してコンテンツ１のダビングが完了したことを通知する。通知を受けたバックエンド制御部２４０は、記憶部２８０に記録されるコンテンツ１に関するタイトル管理情報におけるダビング可能回数を９に設定する。
【０２２４】
なお、マイディスク２またはマイディスク３に対するダビングは、上述した録画時にマイディスクが装填されていない場合のダビング処理と同様であるため、説明を省略する。
【０２２５】
このとき、バックエンド制御部２４０は、マイディスク２またはマイディスク３へのダビングが行われるたびに、コンテンツ１のダビング可能回数を１ずつ減ずる。すなわち、マイディスク１、マイディスク２、マイディスク３のすべてについてコンテンツ１がダビングされた後には、コンテンツ１のダビング可能回数は７となる。
【０２２６】
なお、レコーダ装置１００が複数のディスクドライブ部３３０を有しており、それら複数のディスクドライブ部３３０を用いることで、複数のマイディスクに対して同時にダビングが可能であるような場合には、ダビング対象となるマイディスクの数の分だけダビング可能回数を減じれば良い。
【０２２７】
また、録画時にマイディスクが装填されていない場合、および、録画時にマイディスクが装填されている場合のいずれの場合であっても、マイディスクへのコンテンツのダビングが終了した際には、図１８の（ａ）に示すような画像を表示装置に表示することが好ましい。図１８の（ａ）では、コンテンツ１をマイディスク１に対してコピーしたのちにダビング可能回数が８回となった場合の表示画面の例を示している。
【０２２８】
このようにして、録画時にマイディスクが装填されていない場合、および、録画時にマイディスクが装填されている場合のいずれの場合であっても、複数枚のマイディスクに対するコンテンツの予約録画が可能である。
【０２２９】
また、ダビング可能回数が１回となったコンテンツの光ディスクへのダビングはムーブのみが可能である。すなわち、コンテンツのダビングが行われることにより、ダビング可能回数が０回となった場合、バックエンド制御部２４０は、ダビング可能回数が０回となったコンテンツを、記録部３４０から消去するようにドライブ制御部３２０に対して指示する。ドライブ制御部３２０は、記憶部３４０におけるコンテンツを当該コンテンツの記録された領域から消去する。
【０２３０】
コンテンツをムーブする際には、ムーブした後には記憶部３４０から当該コンテンツが消去されることを警告する画像を表示装置に表示するようにしても良い（図１８の（ｂ））。
【０２３１】
（例外処理）
上記の説明では、条件１および条件２が満たされているとして説明を行ったが、以下では、それらの条件が満たされないような場合について説明を行う。
【０２３２】
まず、条件１が満たされない場合、すなわち、ダビング処理の対象となるマイディスクが１１枚以上となる場合には、そのうち１０枚のマイディスクに対してダビングが実行されると、残りのマイディスクに対するダビングは実行できない。例えば、ダビング処理の対象となるマイディスクが１１枚ある場合には、１０枚のマイディスクにダビングを行った後に１１枚目のマイディスクをドライブ部３００に装填しても、ダビング処理は実行されない。
【０２３３】
なお、記録部２８０に記録された録画情報において、同一コンテンツに対する録画予約が１０個となった場合には、バックエンド制御部２４０が当該コンテンツに対してはこれ以上の録画予約を受け付けないようにしても良い。
【０２３４】
その際、表示装置に図１８（ｃ）に示すような画像を表示することが好ましい。
【０２３５】
また、条件２が満たされていない場合、すなわち、予約録画に必要な容量が、当該予約録画が設定されたマイディスクに確保されていないような場合には、ユーザーに対し、当該マイディスクが必要な空き容量を有していない旨の警告を行い、ダビング処理を実行しないようにする。また、そのような警告を行う際には、ユーザーが新たな光ディスクをマイディスクとして登録できるようにすることが好ましい。
【０２３６】
〔実施形態２〕
以上が、レコーダ装置１００におけるダビング１０に具体的に対応したダビング処理についての説明であるが、本発明はこれに限定されるものではない。具体的には、ダビング１０に替わるダビング制御方法が運用されるような場合であっても、本発明を適用することができる。
【０２３７】
例えば、光ディスク等へのコピーにおいて、これ以上のコピーが不可能（Ｎｏ  Ｍｏｒｅ  Ｃｏｐｙ）なコンテンツとしてのコピー（従って、孫コピーは不可）以外のコピー方法が許可されるような場合には、このコピー制御方法に沿ったダビング回数制御を行っても良い。
【０２３８】
また、ダビング１０運用下ではあるが、コピー先のメディアがＢＤなどの光ディスクメディア以外であり、そのメディアに対しては、これ以上のコピーが不可能（Ｎｏ  Ｍｏｒｅ  Ｃｏｐｙ）なコンテンツとしてのコピー（従って、孫コピーは不可）以外のコピー方法が実施可能な場合である場合には、このコピー制御方法に沿ったダビング回数制御を行っても良い。
【０２３９】
前者の一例として、ディスクメディアへコンテンツをコピーする場合に、複数回コピー可能なコンテンツとしてコピー可能な（従って、孫コピーも可能）コピー制御方法が運用されており、録画予約するコンテンツに対してこのコピー制御方法が適用されている場合であっても、本件は実施可能である。
【０２４０】
本発明に係る第２の実施形態として、以下では、上記のような孫コピーが可能なコピー制御方法が運用されているような場合に対する、レコーダ装置１００のダビング処理について図１９を参照しつつ、説明を行う。
【０２４１】
なお、実施形態１で説明した部分と同じ部分については説明を省略し、本実施形態に特有の部分についてのみ説明を行う。
【０２４２】
また、コンテンツ１は、トータルとして１０枚のコピーが作成可能なコンテンツであるとして説明を行う。すなわち、コンテンツ１のダビング可能回数は１０回であるとして説明を行う。
【０２４３】
図１９は、記憶部３４０に記録されたコンテンツ１を、特定のマイディスク（マイディスク１）から複数回のダビングが可能となるように、合計３枚のマイディスク（マイディスク１、マイディスク２、マイディスク３）にダビングするダビング処理を模式的に示す図である。
【０２４４】
図１９に示すように、本実施形態においてマイディスク１にコピーされたコンテンツ１は、これ以上のコピーが不可能（Ｎｏ  Ｍｏｒｅ  Ｃｏｐｙ）なコンテンツではなく、マイディスク１に基づくダビングが８回（コピー７回＋ムーブ１回）まで可能なコンテンツである。また、マイディスク２，マイディスク３にダビングされたコンテンツ１は、これ以上のコピーが不可能（Ｎｏ  Ｍｏｒｅ  Ｃｏｐｙ）なコンテンツである。
【０２４５】
上記のようなマイディスクを作成するために、レコーダ装置１００は以下に示す一例の手順でダビング処理を行う。
【０２４６】
ステップ１）バックエンド制御部２４０は、記憶部３４０に録画されたコンテンツ１をダビングする対象となるマイディスクのうちから、特定の１枚のマイディスクを設定する（ここでは、マイディスク１を特定の１枚として設定）。
【０２４７】
ステップ２）バックエンド制御部２４０は、ドライブ部３００からマイディスク２または３の装填通知を受けると、装填されたマイディスクが特定の１枚でないと判定する。
【０２４８】
ステップ３）バックエンド制御部２４０は、ドライブ部３００に対して特定の１枚でないことを通知する。通知を受けたドライブ部３００におけるドライブ制御部３２０は、装填されているマイディスク２または３に対して、これ以上のコピーが不可能（Ｎｏ  Ｍｏｒｅ  Ｃｏｐｙ）なコンテンツとしてコンテンツ１をダビングする。
【０２４９】
ステップ４）ドライブ制御部３２０は、装填されているマイディスク１に対して、ダビング対象となるマイディスクのうち特定のマイディスクでないマイディスクの枚数をダビング可能回数（本例では１０回）から減じた回数分だけダビング可能なコンテンツとしてコンテンツ１をダビングする。すなわち、ここでは、８回ダビングが可能なコンテンツとしてコンテンツ１がダビングされる。
【０２５０】
ステップ５）ダビングによりコンテンツ１のダビング可能回数が０回となった場合には、バックエンド制御部２４０は、コンテンツ１を消去するように、ドライブ制御部３２０に対して指示する。指示を受けたドライブ制御部３２０は、記憶部３４０に記録されたコンテンツ１を消去する。
【０２５１】
ステップ６）バックエンド部２００は、ユーザーに対し、表示装置等を通じてダビング処理が終了したことを通知する。
【０２５２】
なお、上記の例においては、特定の１枚のマイディスクの設定を手順開始後のステップ１で行う説明を行ったが、本発明はこれに限定されるものではなく、各マイディスクへのダビングが実際に開始されるまでに設定すれば良い。
更に、上記の例においては、マイディスク１を特定の１枚のマイディスクとして説明を行ったが、本発明はこれに限定されるものではなく、以下に説明するように、状況に応じて、特定の１枚のマイディスクを決定する方法は様々に設定することが可能である。
【０２５３】
また、上記の説明では、特定の１枚のマイディスクからダビング可能な回数は、全体として許可されているダビング回数から、コンテンツ１が記録されるべきマイディスクの枚数を減じた数としたが、本発明はこれに限定されるものではない。
【０２５４】
具体的には、特定の１枚のマイディスクにダビングを行う際に、ユーザーが特定の１枚マイディスクからダビング可能な回数を適宜設定できるようにしても良い。設定可能なダビング可能な回数としては、全体として許可されているダビング可能回数から、コンテンツ１のダビング対象となるマイディスクの枚数を減じた数の範囲内となる。すなわち、上述した説明においては、１〜８回の間でダビング可能な回数を設定することができる。
【０２５５】
本実施形態のように、特定の１枚のマイディスクに対して、１枚もしくは複数枚のコピーが可能となるようにダビングを行うことによって、当該特定の１枚のマイディスクを長期保存するための保存用記録媒体、もしくは、バックアップ用の記録媒体として活用が可能である。
【０２５６】
（特定の１枚のマイディスクの選択方法）
以下では、コンテンツの予約録画における上記の説明に用いた「特定の１枚のマイディスク」の選択方法の詳細について図２２〜図２５を参照しつつ説明を行う。特定の１枚のマイディスクの選択方法としては、大きく分けて以下の３通りの方法を挙げることができる。
【０２５７】
方法１）コンテンツ１をダビング対象とする複数のマイディスクの中から、ユーザーが任意に選択。
【０２５８】
方法２）各ディスクの使用状況に応じて、バックエンド制御部２４０が、特定の１枚のマイディスクを自動的に選択。
【０２５９】
方法３）各ディスクの使用状況に応じて、バックエンド制御部２４０が、特定の１枚のマイディスクに対する１枚もしくは複数枚の候補を選択し、候補となったマイディスクの中からユーザーが特定の１枚を選択。
【０２６０】
まず、上記の方法１について図２２を参照して説明を行う。
【０２６１】
図２２は、コンテンツ１のコピー先のリストを示す画像の一例であり、（ａ）は、メインコピー先とサブコピー先をユーザーが選択するために表示装置に表示される画像の一例を示す図であり、（ｂ）は、メインコピー先を選択した結果を確認するために、表示装置に表示される画像の一例を示す図である。
【０２６２】
ここで、メインコピー先として決定されたマイディスクが特定の１枚のマイディスクである。
【０２６３】
図２２の（ａ）に示すように、ユーザーはコンテンツ１のコピー先として指定されたマイディスク１、マイディスク２、マイディスク３の中から、上下カーソルにてメインコピー先を選択し、決定キーを押すことにより、選択を終了する。
【０２６４】
次に、図２２の（ａ）に示すように、上記で選択されたメインコピー先と、メインコピー先以外のサブコピー先が表示され、ユーザーは、それらのコピー先の選択で間違いがないかの確認を行う。
【０２６５】
図２２の（ｂ）は、メインコピー先としてマイディスク２が選択され、コンテンツ１を記録すべきその他のマイディスク（マイディスク１、マイディスク３）はサブコピー先として選択されている様子を示している。
【０２６６】
図２２の（ｂ）において、ユーザーが「はい」を選択すると、マイディスク２がメインコピー先に、マイディスク１、マイディスク３がサブコピー先に決定される。
【０２６７】
これによって、メインコピー先として決定されたマイディスク２は、特定の１枚のマイディスクとして選択される。
【０２６８】
図２２の（ｂ）において、ユーザーが「いいえ」を選択すると、図２２の（ａ）の画像に戻り、再び、ユーザーによるメインコピー先の選択が継続される。
【０２６９】
このようにして、コンテンツを記録すべき複数のマイディスクから、ユーザーが任意に特定の１枚のマイディスクを選択することができる。
【０２７０】
次に、方法２および方法３について、図２３、図２４、図２５を参照しつつ説明を行う。
【０２７１】
まず、図２３を参照し、バックエンド制御部２４０が、同一のコンテンツに対して指定された複数のマイディスクに対する録画画質を比較することにより、特定の１枚のマイディスクを選択する処理について説明する。
【０２７２】
図２３は、バックエンド制御部２４０が、同一のコンテンツに対して指定された複数のマイディスクに対する録画画質を比較することにより、特定の１枚のマイディスクを選択する選択処理を示すフローチャートである。
【０２７３】
図２３に示すように、まず、同一コンテンツに対する録画予約情報の読み込みが行われる。具体的には、バックエンド制御部２４０が、記憶部２８０のタイトル管理領域に記録された、コンテンツ１に対する録画予約情報を読み込む（ステップＳ１）。
【０２７４】
次にバックエンド制御部２４０は、コンテンツ１をダビングする対象となるマイディスクが複数であるか否かの判定を行う（ステップＳ２）。
【０２７５】
当該コンテンツが１枚のマイディスクに対してのみ録画予約されている場合には（ステップＳ２においてＮｏ）、特定の１枚のマイディスクの選択処理を終了する。
【０２７６】
コンテンツ１をダビング対象とするマイディスクが複数である場合には（ステップＳ２においてＹｅｓ）、録画予約されているディスクの録画画質に差異があるかどうかの判定を行う。具体的には、バックエンド制御部２４０は、記憶部２８０のタイトル管理領域に記録された当該コンテンツに対する録画画質を比較し、複数のマイディスクに対する録画予約の録画画質に、差異があるかどうかの判定を行う（ステップＳ３）。
【０２７７】
録画画質に差異がある場合には（ステップＳ３においてＹｅｓ）、最も高画質で録画予約されているマイディスクを特定の１枚のマイディスクの候補として仮選定する（ステップＳ４）。
【０２７８】
なお、最も高画質で録画予約されているマイディスクが複数枚ある場合には、複数のマイディスクのうち、例えば、一番最初に録画予約されたマイディスクを特定の１枚のマイディスクの候補として仮選定しても良いし、特定のユーザーに対するマイディスクを特定の１枚のマイディスクの候補として仮選定しても良い。
【０２７９】
録画画質に差異がない場合には（ステップＳ３においてＮｏ）、どれか１枚のマイディスクを特定の１枚のマイディスクの候補として仮選定する（ステップＳ５）。ここでは、例えば、一番最初に録画予約されたマイディスクを特定の１枚のマイディスクの候補として仮選定しても良いし、特定のユーザーに対するマイディスクを特定の１枚のマイディスクの候補として仮選定しても良い。
【０２８０】
続いて、バックエンド制御部２４０は、ステップＳ４もしくはＳ５において仮選定された特定の１枚のマイディスクの候補をユーザーに選択させるかどうかについて判定を行う（ステップＳ６）。
【０２８１】
あらかじめ、ユーザーに選択させないような設定がされている場合、すなわち、ユーザーが特定の１枚のマイディスクを選択する選択権を有していないような設定がなされている場合には（ステップＳ６においてＮｏ）、仮選定されたマイディスクの候補を特定の１枚のマイディスクとして選択する（ステップＳ９）。
【０２８２】
一方で、あらかじめ、ユーザーに選択させるように設定されている場合、すなわち、ユーザーが特定の１枚のマイディスクを選択する選択権を有するような設定がなされている場合には（ステップＳ６においてＹｅｓ）、仮選定されたマイディスクの候補を表示装置に表示する（ステップＳ７）。
【０２８３】
そして、ユーザーは表示装置に表示された仮選定されたマイディスクの中から特定の１枚のマイディスクを選択する（ステップＳ８）。
【０２８４】
なお、ステップＳ４およびＳ５において、特定の１枚のマイディスクの候補は１枚であるとして説明を行ったが、本発明はこれに限定されるものではなく、複数の候補を仮選定し、Ｓ７においてそれら複数の候補を表示装置に表示し、Ｓ８において、当該複数の候補から特定の１枚をユーザーが選択できるようにしても良い。
【０２８５】
このように、あるコンテンツをダビング対象とする複数のマイディスクの中から、最も高画質で録画予約されたマイディスクを特定の１枚として選択する場合には、特定の１枚のマイディスクに対する録画を高画質で行うことができる。
【０２８６】
また、記憶部２８０または記憶部３４０に各マイディスクの録画回数や、再生回数に関する情報、すなわち、各マイディスクの使用頻度に関する情報を記録させておき、ステップＳ３、Ｓ４、Ｓ５においてそれら使用頻度に関する情報を比較することにより特定の１枚のマイディスクの候補を選定するようにしても良い。
【０２８７】
次に、図２４を参照して、各マイディスクに記録されたコンテンツと、録画予約されたコンテンツとの関連性を判定し、最も関連性の高いと判断されたコンテンツが記録されたマイディスクを特定の１枚のマイディスクとして選択する選択処理について説明を行う。
【０２８８】
図２４は、各マイディスクに記録されたコンテンツと、録画予約されたコンテンツとの関連性を判定し、最も関連性の高いと判断されたコンテンツが記録されたマイディスクを上記特定の１枚のマイディスクとして選択する選択処理を示すフローチャートである。
【０２８９】
図２４に示すように、まず、コンテンツ１に対する録画予約情報の読み込みが行われる。具体的には、バックエンド制御部２４０が、記憶部２８０のタイトル管理領域に記録された、コンテンツ１に対する録画予約情報を読み込む（ステップＳ１１）。
【０２９０】
次にバックエンド制御部２４０は、コンテンツ１をダビング対象とするマイディスクが複数であるか否かの判定を行う（ステップＳ１２）。
【０２９１】
コンテンツ１をダビング対象とするマイディスクが１枚である場合には（ステップＳ１２においてＮｏ）、特定の１枚のマイディスクの選択処理を終了する。
【０２９２】
コンテンツ１をダビング対象とするマイディスクが複数である場合には（ステップＳ１２においてＹｅｓ）、バックエンド制御部２４０は、録画済みコンテンツと録画予約されたコンテンツの情報を比較し（ステップＳ１３）、それらのコンテンツの間に関連性があるどうかの判定を行う（ステップＳ１４）。
【０２９３】
例えば、コンテンツのタイトル情報（コンテンツ１がテレビ番組であるならば「番組名」、コンテンツ１がインターネット経由で配信されるコンテンツであるならば「配信タイトル名」など）が同一か、少なくとも、タイトル情報の一部が同一（例えば、各々のタイトル情報が前方一致する場合）であるならば、連続番組などである可能性が高く、関連性のあるコンテンツとして判定する。
【０２９４】
上記のような関連性があるマイディスクが存在している場合は、この関連性のあるディスクを特定の１枚のマイディスクの候補として仮選定する（ステップＳ１５）。
【０２９５】
上記のような関連性のあるマイディスクが存在していない場合には、複数のマイディスクのうち、どれか１枚のマイディスクを特定のマイディスクの候補として仮選定する（ステップＳ１６）。例えば、一番最初に録画予約されたマイディスクを特定の１枚のマイディスクの候補として仮選定しても良いし、特定のユーザーに対するマイディスクを特定の１枚のマイディスクの候補として仮選定しても良い。
【０２９６】
続いて、バックエンド制御部２４０は、ステップＳ１５もしくはＳ１６において仮選定された特定の１枚のマイディスクの候補をユーザーに選択させるかどうかについて判定を行う（ステップＳ１７）。
【０２９７】
あらかじめ、ユーザーに選択させないような設定がされている場合、すなわち、ユーザーが特定の１枚のマイディスクを選択する選択権を有していないような設定がなされている場合には（ステップＳ１７においてＮｏ）、仮選定されたマイディスクの候補を特定の１枚のマイディスクとして選択する（Ｓ２０）。
【０２９８】
一方で、あらかじめ、ユーザーに選択させるように設定されている場合、すなわち、ユーザーが特定の１枚のマイディスクを選択する選択権を有するような設定がなされている場合には（ステップＳ１７においてＹｅｓ）、仮選定されたマイディスクの候補を表示装置に表示する（Ｓ１８）。
【０２９９】
そして、ユーザーは表示装置に表示された仮選定されたマイディスクを特定の１枚のマイディスクとして選択するかどうかの判断を行う（ステップＳ１９）。
【０３００】
なお、ステップＳ１５およびＳ１６において、特定の１枚のマイディスクの候補は１枚であるとして説明を行ったが、本発明はこれに限定されるものではなく、複数の候補を仮選定し、Ｓ１８においてそれら複数の候補を表示装置に表示し、Ｓ１９において、当該複数の候補から特定の１枚をユーザーが選択できるようにしても良い。
【０３０１】
このようにコンテンツの関連性に基づき特定の１枚のマイディスクを選択することにより、ユーザーにとって関連性を有するコンテンツの長期保存やバックアップの際の利便性が高まる。
【０３０２】
次に、図２５を参照して、管理ユーザー（１枚もしくは複数のマイディスクに対して、当該マイディスクの使用を許可する権限が設定されているユーザー、すなわちディスク管理者とでも言うべきユーザー、または、１枚もしくは複数のマイディスク対して、主に使用許可が設定されているユーザー、など）が存在する場合で、かつ、管理ユーザーが複数存在する場合には各管理ユーザーに優先度が設定されているような場合に、特定の１枚のマイディスクを選定する選択処理について説明する。
【０３０３】
図２５は、管理ユーザーが存在する場合で、かつ、管理ユーザーが複数存在する場合には各管理ユーザーに優先度が設定されているような場合に、特定の１枚のマイディスクを選定する選択処理を示すフローチャートである。
【０３０４】
以下では、記憶部３４０に各マイディスクに対して上記管理ユーザーに関する情報（管理ユーザー情報）が記録されているような場合であって、各管理ユーザーに優先度が設定されているような場合を例にとり説明を行う。
【０３０５】
図２５に示すように、まず、コンテンツ１に対する録画予約情報の読み込みが行われる。具体的には、バックエンド制御部２４０が、記憶部２８０のタイトル管理領域に記録された、コンテンツ１に対する録画予約情報を読み込む（ステップＳ２１）。
【０３０６】
次にバックエンド制御部２４０は、コンテンツ１をダビング対象とするマイディスクが複数であるか否かの判定を行う（ステップＳ２２）。
【０３０７】
コンテンツ１をダビング対象とするマイディスクが１枚である場合には（ステップＳ２２においてＮｏ）、特定の１枚のマイディスクの選択処理を終了する。
【０３０８】
コンテンツ１をダビング対象とするマイディスクが複数である場合には（ステップＳ２２においてＹｅｓ）、バックエンド制御部２４０は、記憶部３４０の管理領域に記録された管理ユーザー情報を読み込み、コンテンツ１をダビング対象とする複数のマイディスクに対して複数の管理ユーザーが設定されているかどうかの判定を行う（ステップＳ２３）。
【０３０９】
コンテンツ１をダビング対象とする複数のマイディスクに対して１人の管理ユーザーのみが設定されている場合には（ステップＳ２３においてＮｏ）、複数のマイディスクのうち、どれか１枚のマイディスクを特定のマイディスクの候補として仮選定する（ステップＳ２６）。例えば、一番最初に録画予約されたマイディスクを特定の１枚のマイディスクの候補として仮選定しても良いし、特定のユーザーに対するマイディスクを特定の１枚のマイディスクの候補として仮選定しても良い。
【０３１０】
コンテンツ１をダビング対象とする複数のマイディスクに対して複数の管理ユーザーが設定されている場合には（ステップＳ２３においてＹｅｓ）、バックエンド制御部２４０は、記憶部３４０の管理領域に記録された複数の管理ユーザーの優先度を読み込み、それらの優先度を比較する（ステップＳ２４）。
【０３１１】
優先度の比較の結果、複数の管理ユーザーの優先度が同じであれば（ステップＳ２４においてＮｏ）、録画予約された複数のマイディスクのうち、どれか１枚のマイディスクを特定のマイディスクの候補として仮選定する（ステップＳ２６）。
【０３１２】
優先度の比較の結果、最も優先度の高い管理ユーザーが存在する場合には（ステップＳ２４においてＹｅｓ）、最も優先度の高い管理ユーザーが管理するマイディスクを特定の１枚のマイディスクの候補として仮選定する（ステップＳ２５）。
【０３１３】
例えば、コンテンツ１に対して、ユーザーＡが使用するディスク１と、ユーザーＢが使用するディスクＢ、ユーザーＣが使用するディスク３に録画予約が設定された場合で、この録画装置におけるユーザーの使用優先度が、Ａ＞Ｂ＞Ｃである場合には、ユーザーＡが使用するディスク１を特定の１枚のマイディスクの候補として仮選択する。
【０３１４】
続いて、バックエンド制御部２４０は、ステップＳ２５もしくはＳ２６において仮選定された特定の１枚のマイディスクの候補をユーザーに選択させるかどうかについて判定を行う（ステップＳ２７）。
【０３１５】
あらかじめ、ユーザーに選択させないような設定がされている場合、すなわち、ユーザーが特定の１枚のマイディスクを選択する選択権を有していないような設定がなされている場合には（ステップＳ２７においてＮｏ）、仮選定されたマイディスクの候補を特定の１枚のマイディスクとして選択する（Ｓ３０）。
【０３１６】
一方で、あらかじめ、ユーザーに選択させるように設定されている場合、すなわち、ユーザーが特定の１枚のマイディスクを選択する選択権を有するような設定がなされている場合には（ステップＳ２７においてＹｅｓ）、仮選定されたマイディスクの候補を表示装置に表示する（ステップＳ２８）。
【０３１７】
そして、ユーザーは表示装置に表示された仮選定されたマイディスクを特定の１枚のマイディスクとして選択するかどうかの判断を行う（ステップＳ２９）。
【０３１８】
このように、特定の１枚のマイディスクを選択することで、録画予約が重複した場合にも優先度の高い管理ユーザーによるコンテンツの確保を保証することができる。
【０３１９】
なお、上記の説明では、各マイディスクに対して、管理ユーザーが設定されている場合を例にとり説明を行ったが、本発明はこれに限定されるものではない。
【０３２０】
例えば、マイディスク自体ではなく、録画予約の設定を行ったユーザーを個別に特定することができれば、それぞれの録画予約の設定を行ったユーザーに対する優先度を比較することで、特定の１枚のディスクを選択するようにしても良い。
【０３２１】
なお、ユーザーを個別に特定する方法としては、ユーザー毎に個別に設定・管理されているリモコンからの操作を検出する事により特定する方法、録画装置の電源ＯＮ時に操作開始する前にユーザー選択をさせることにより特定する方法、パスワードなどの入力によるユーザー認証を行うことにより特定する方法、過去から現在までに録画が実行されたコンテンツと録画を実行したユーザーの関連付けがされた録画履歴情報がバックエンド制御部２４０から参照可能な場所に収納しておき、この情報を基に録画予約を行っているユーザーを推定することにより特定する方法などを採用することができる。
【０３２２】
また、上記の選択処理のようにユーザーの優先度を比較することにより特定の１枚のマイディスクの選択を行うのではなく、録画予約されたコンテンツに対してユーザーに視聴制限が設定されているか否かに基づいて、特定の１枚のマイディスクを選択するような選択処理も可能である。
【０３２３】
具体的には、各ユーザーの年齢などの情報を記憶部３４０に記録しておき、バックエンド制御部２４０が、録画予約されたコンテンツが視聴制限を有するか否かの判定および録画予約に際して指定されたマイディスクが帰属するユーザーに視聴制限が設定されているか否かの判定を行い、視聴制限のないユーザーが管理・使用するマイディスクを特定の１枚のマイディスクとして選択しても良い。
【０３２４】
例えば、録画予約が設定されたコンテンツに視聴制限があり、録画予約されたマイディスクを使用・管理するユーザーが視聴制限の対象となるような場合には、マイディスクを特定の１枚のマイディスクの選択から除外して、他のユーザーの管理・使用するディスクから選択するようにしても良い。
【０３２５】
なお、視聴制限としては、視聴ユーザーの年齢による制限、コンテンツの放送時間帯による制限などが考えられる。また、上記各ユーザーの年齢などの情報は、具体的には、記録部３４０におけるマイディスク管理領域の各エントリに記録することが好ましい。
【０３２６】
コンテンツが視聴年齢制限を有するような場合には、マイディスクやバックエンド制御部２４０などにユーザーの年齢や年齢層情報を記録しておくことが好ましい。
【０３２７】
バックエンド制御部２４０は、年齢に関する情報に基づき、年齢制限に該当するユーザーが使用・管理するマイディスクを特定の１枚のマイディスクの候補から除外し、制限年齢から最も離れた年齢のユーザーが管理・使用するマイディスクを特定の１枚のマイディスクとして選択すれば良い。
【０３２８】
また、コンテンツの放送時間帯による視聴制限がある場合、例えば、深夜時間帯のコンテンツに対する視聴制限が設定されたユーザーが使用・管理するマイディスクは、たとえ録画予約されたコンテンツ自体が深夜時間帯に放送されない場合であったとしても特定の１枚のマイディスクの候補から除外して、他のユーザーの管理・使用するマイディスクから特定の１枚のマイディスクを選択することが好ましい。
【０３２９】
このようにして、各ユーザーの視聴制限に基づき特定の１枚のマイディスクを選択することにより、視聴制限のあるコンテンツが、視聴制限の対象となるユーザーが使用・管理するマイディスクに、長期保存用およびバックアップ用のコンテンツとして記録されることを防ぐことができる。
【０３３０】
なお、上述した選択処理は個別に実行しても良いし、いくつかの選択処理の方法を組み合わせて実行しても良い。その際、いくつかの判定条件を総合的に判断して特定の１枚のマイディスクを選択するようにしても良い。
【０３３１】
また、制御部２４０が選択処理により特定の１枚のマイディスクを選択しても良いし、幾つかのマイディスクの候補を選択肢としてユーザーに提示した上で、ユーザーに選択肢の中から特定の１枚のマイディスクを選択させるようにしても良い。
【０３３２】
以上のような選択処理に基づいて、特定の１枚のマイディスクを選択することにより、ユーザーがダビング可能回数の優先的振り分けを希望するマイディスクや、関連性のあるコンテンツがすでに記録されたマイディスクや、優先度の高いユーザーが管理するマイディスクなどに対しては、さらにコピーが可能なコンテンツとして、コンテンツをダビングすることができる。これによって、今後これ以上コピーする事が無いと思われるあまり重要ではないマイディスクに対して、不必要にダビング可能回数を割り振る事が無く、ユーザーにとって本当に重要である推定されるマイディスクに対して、優先的にダビング可能回数を割り振る事ができる。
〔実施形態３〕
上記の実施形態においては、特定のマイディスクが１枚である場合について説明を行ったが、本発明はこれ限られるものではなく、特定のマイディスクが複数枚あるような場合であっても、本発明を適用することが可能である。
【０３３３】
本実施形態においては、特定のマイディスクが複数枚あるような場合、すなわち、同一コンテンツをダビング対象とするマイディスクが複数ある場合、複数枚に対して、さらにコピーが可能なコンテンツとしてダビングを行う場合のダビング処理について図２０、図２１、図２６を参照しつつ説明を行う。
【０３３４】
なお、実施形態１および２で説明した部分と同じ部分については説明を省略し、本実施形態に特有の部分についてのみ説明を行う。
【０３３５】
以下では、特定のマイディスクが２枚ある場合について主に説明を行うが、本実施形態は特定のマイディスクが３枚以上であっても良い。
【０３３６】
また、コンテンツ１は、トータルとして１０回のダビングが可能なコンテンツであるとして説明を行う。すなわち、コンテンツ１の領域１への録画が実行される際、記憶部２８０に記録されるコンテンツ１に関するタイトル管理情報における残りダビング可能回数が１０に設定される場合を例に説明を行う。
【０３３７】
図２０は、記憶部３４０に記録されたコンテンツ１を、ダビング先のマイディスクから複数回のコピーが可能となるように、合計２枚のマイディスク（マイディスク１、マイディスク２）にダビングするダビング処理を模式的に示す図である。
【０３３８】
図２０に示すように、本実施形態においてマイディスク１にコピーされたコンテンツ１は、これ以上のコピーが不可能（Ｎｏ  Ｍｏｒｅ  Ｃｏｐｙ）なコンテンツではなく、マイディスク１に基づくダビングがｍ回（コピー（ｍ−１）回＋ムーブ１回）まで可能なコンテンツである。また、マイディスク２にコピーされたコンテンツ１は、マイディスク１に基づくダビングがｎ回（コピー（ｎ−１）回＋ムーブ１回）まで可能なコンテンツである。
【０３３９】
上記のようなマイディスクを作成するために、レコーダ装置１００は以下に示す一例の手順でダビング処理を行う。
【０３４０】
ステップ１）バックエンド制御部２４０は、ドライブ部３００からマイディスク１の装填通知を受けると、マイディスク１に対して、記憶部３４０に録画されたコンテンツ１を、ダビングがｍ回（コピー（ｍ−１）回＋ムーブ１回）可能なコンテンツとしてダビングするようにドライブ制御部３２０に対して指示する。ここで、ｍ＜１０とする。
【０３４１】
ステップ２）指示を受けたドライブ制御部３２０は、コンテンツ１をマイディスク１にダビングする。
【０３４２】
ステップ３）同時に、バックエンド制御部２４０は、コンテンツ１に関するタイトル管理情報におけるダビング可能回数からｍを減じる。すなわち、この段階においてコンテンツ１に関するタイトル管理情報におけるダビング可能回数は１０−ｍとなる。
【０３４３】
ステップ４）次に、バックエンド制御部２４０は、ドライブ部３００からマイディスク２の装填通知を受けると、マイディスク２に対して、記憶部３４０に録画されたコンテンツ１を、ダビングがｎ回（コピー（ｎ−１）回＋ムーブ１回）可能なコンテンツとしてダビングするようにドライブ制御部３２０に対して指示するここで、ｎ≦１０−ｍとする。
【０３４４】
ステップ５）指示を受けたドライブ制御部３２０は、コンテンツ１をマイディスク２にダビングする。
【０３４５】
ステップ６）同時に、バックエンド制御部２４０は、コンテンツ１に関するタイトル管理情報におけるダビング可能回数からｎを減じる。すなわち、この段階においてコンテンツ１に関するタイトル管理情報におけるダビング可能回数は１０−（ｍ＋ｎ）となる。
【０３４６】
ステップ７）コンテンツ１のダビング可能回数が０となった場合、バックエンド制御部２４０は、記憶部３４０に録画されたコンテンツ１を削除するようにドライブ制御部３２０に対して指示する。指示を受けたドライブ制御部３２０は、コンテンツ１を記録部３４０から消去する。
【０３４７】
ステップ８）マイディスク１またはマイディスク２に対するダビング処理が完了すると、レコーダ装置１００は、ユーザーに対し、表示装置等を通じてダビング処理の終了を通知する。
【０３４８】
なお、コンテンツ１のダビング可能回数が１以上の場合であっても、ユーザーの操作によりコンテンツ１を消去するようにしても良い。
【０３４９】
上記のようなダビング処理を行うことにより、例えば、レコーダ装置１００が複数のユーザーにより共有されているような場合であっても、複数のユーザーが使用・管理する複数のマイディスクに長期保存やバックアップ用としてコンテンツを記録することが可能になる。
【０３５０】
上述した「ｍ」および「ｎ」の値は、レコーダ装置１００において予め設定されている固定値であっても良いし、ユーザーにより任意に設定される値であっても良い。
【０３５１】
また、上記の例では、コンテンツ１のダビング回数が０となった場合、バックエンド制御部２４０は、記憶部３４０に録画されたコンテンツ１を削除するとしたが、本発明はこれに限定されるものではない。
【０３５２】
以下では、図２１を参照しつつ、記憶部３４０に録画されたコンテンツを削除しないようにするダビング処理について説明を行う。
【０３５３】
図２１は、記憶部３４０に記録されたコンテンツ１を合計２枚のマイディスク（マイディスク１、マイディスク２）にダビングするダビング処理であって、記憶部３４０に録画されたコンテンツが上記コピー終了後に「Ｎｏ  Ｍｏｒｅ  Ｃｏｐｙ」なコンテンツに書き換えられるようなダビング処理を模式的に示す図である。
【０３５４】
図２１に示すように、本実施形態においてマイディスク１にコピーされたコンテンツ１は、これ以上のコピーが不可能（Ｎｏ  Ｍｏｒｅ  Ｃｏｐｙ）なコンテンツではなく、マイディスク１に基づくダビングがｍ回（コピー（ｍ−１）回＋ムーブ１回）まで可能なコンテンツである。また、マイディスク２にコピーされたコンテンツ１は、マイディスク１に基づくダビングがｎ回（コピー（ｎ−１）回＋ムーブ１回）まで可能なコンテンツである。
【０３５５】
これらのマイディスクは、上記のステップ１からステップ８と同様の手順で作成が可能である。
【０３５６】
ただし、本例においては、上記のｍとｎの和は９以下であるものとし、ｍとｎの和が９である場合には、バックエンド制御部２４０が記憶部３４０に録画されたコンテンツ１を「Ｎｏ  Ｍｏｒｅ  Ｃｏｐｙ」なコンテンツに書き換える。
【０３５７】
上述した「ｍ」および「ｎ」の値は、先と同様に、レコーダ装置１００において予め設定されている固定値であっても良いし、ユーザーにより任意に設定される値であっても良い。また、「Ｎｏ  Ｍｏｒｅ  Ｃｏｐｙ」ではなく、ダビング可能回数１回のコンテンツに書き換えても良い。
【０３５８】
これにより、コピー処理の終了後に記憶部３４０からコンテンツ１が削除されることを防ぐことができ、コンテンツの再生の際には、記憶部３４０に記録されたコンテンツ１を再生できるので、ユーザーにとって利便性が高い。
【０３５９】
上記の説明では、マイディスク１およびマイディスク２が特定のマイディスクであるとして説明を行ったが、本発明は、複数のマイディスクから複数の特定のマイディスクを選択するような場合であっても、適用することができる。
【０３６０】
具体的には、ダビング可能回数の設定画面において、ユーザーがリモコンのカーソルキーや数字キーなどを操作し、各マイディスクのダビング可能回数を設定するようにしても良い。
【０３６１】
また、各マイディスクの使用状況に応じてレコーダ装置１００が自動的に複数の特定のマイディスクを選択するようにしても良いし、少なくとも１つ以上の選択肢をユーザーに提示した後に、ユーザーがそれらの選択肢の中から特定のマイディスクを選択するようにしても良い。
【０３６２】
以下では、同一のコンテンツをダビング対象とするマイディスクが３枚以上ある場合に、３枚以上のマイディスクから２枚の特定のマイディスクを選択し、それら特定のマイディスクにダビング可能回数を割り振る選択処理について図２６を参照しつつ説明を行う。
【０３６３】
図２６は、同一のコンテンツをダビング対象とするマイディスクが３枚以上ある場合に、３枚以上のマイディスクから２枚の特定のマイディスクを選択し、それら特定のマイディスクにダビング可能回数を割り振る選択処理を示すフローチャートである。
【０３６４】
図２６に示すように、まず、同一コンテンツ（コンテンツ１）に対する録画予約情報の読み込みが行われる。具体的には、バックエンド制御部２４０が、記憶部２８０のタイトル管理領域に記録された、コンテンツ１に対する録画予約情報を読み込む（ステップＳ３１）。
【０３６５】
次に、バックエンド制御部２４０は、コンテンツ１をダビング対象とするマイディスクが３枚以上存在するか否かの判定を行う（ステップＳ３２）。
【０３６６】
コンテンツ１をダビング対象とするマイディスクが２枚以下である場合には（ステップＳ３２においてＮｏ）、特定のマイディスクの選択処理を終了する。
【０３６７】
コンテンツ１をダビング対象とするマイディスクが３枚以上存在する場合には（ステップＳ３２においてＹｅｓ）、バックエンド制御部２４０は、記憶部３４０の管理領域に記録された管理ユーザー情報を読み込み、コンテンツ１をダビング対象とするマイディスクに対して複数の管理ユーザーが設定されているかどうかの判定を行う（ステップＳ３３）。
【０３６８】
マイディスクに対して１人の管理ユーザーのみが設定されている場合には（ステップＳ３３においてＮｏ）、バックエンド制御部２４０は、３枚以上のマイディスクのうち、２枚のマイディスクを特定のマイディスクとして仮選定し、仮選定された２枚のマイディスクに対して、ダビング可能回数をそれぞれｍ回，ｎ回に仮設定し、それ以外のマイディスクに対しては、ダビング可能回数を１回に仮設定する（ステップＳ３７）。
【０３６９】
例えば、一番最初に録画予約されたマイディスクと２番目に録画予約されたマイディスクとを特定のマイディスクに仮選定し、それぞれダビング可能回数をｍ回，ｎ回（ｎ＜ｍとする）に設定しても良いし、特定のユーザーが使用・管理するマイディスクを特定のマイディスクに仮選定しても良い。
【０３７０】
なお、上記のように複数のマイディスクに対して設定されたダビング可能回数の総和がコンテンツ１のダビング可能回数以下であるように各マイディスクに対してダビング可能回数を割り振ることが好ましい。
【０３７１】
一方で、マイディスクに対して複数の管理ユーザーが設定されている場合には（ステップＳ３３においてＹｅｓ）、バックエンド制御部２４０は、記憶部３４０の管理領域に複数の管理ユーザーに対する優先度が設定されているか否かの判定を行う（ステップＳ３４）。
【０３７２】
優先度の設定がなされていない場合には（ステップＳ３４においてＮｏ）、バックエンド制御部２４０は、３枚以上のマイディスクのうち、２枚のマイディスクを特定のマイディスクとして仮選定し、仮選定された２枚のマイディスクに対して、ダビング可能回数をそれぞれｍ回，ｎ回に仮設定し、それ以外のマイディスクに対しては、ダビング可能回数を１回に仮設定する（ステップＳ３７）。
【０３７３】
優先度の設定がなされている場合には（ステップＳ３４においてＹｅｓ）、バックエンド制御部２４０は、各マイディスクを、対応する管理ユーザーの優先度に応じて順位付けを行う（ステップＳ３５）。
【０３７４】
続いて、バックエンド制御部２４０は、順位付けされたマイディスクのうち、優先度が上位２番目までのマイディスクを特定のマイディスクとして仮選定する。そして、優先度が最上位のマイディスクに対して、ダビング可能回数をｍ回に仮設定し、優先度が２番目のマイディスクに対して、ダビング可能回数をｎ回に仮設定し（ｎ＜ｍとする）、優先度が３番目以下のマイディスクに対して、ダビング可能回数を１回に仮設定する（ステップＳ３６）。
【０３７５】
続いて、バックエンド制御部２４０は、ステップＳ３６もしくはＳ３７において仮設定されたダビング可能回数をユーザーに選択させるかどうかについて判定を行う（ステップＳ３８）。
【０３７６】
あらかじめ、ユーザーに選択させないような設定がされている場合、すなわち、ユーザーがダビング可能回数を選択する選択権を有していないような設定がなされている場合には（ステップＳ３８においてＮｏ）、仮設定されたダビング可能回数を最終的なダビング可能回数として選定する（ステップＳ４１）。
【０３７７】
一方で、あらかじめ、ユーザーに選択させるように設定されている場合、すなわち、ユーザーがダビング可能回数を選択する選択権を有するような設定がなされている場合には（ステップＳ３８においてＹｅｓ）、仮設定されたダビング可能回数を表示装置に表示する（ステップＳ３９）。
【０３７８】
そして、ユーザーは表示装置に表示された各マイディスクに対するダビング可能回数を最終的なダビング可能回数として選定するかどうかの判断を行う（ステップＳ４０）。
【０３７９】
なお、上記の説明においては、特定のマイディスクが２枚であるような場合について説明を行ったが、本実施形態は特定のマイディスクが３枚以上であるような場合についても、容易に拡張することができる。
【０３８０】
（例外処理）
以上、実施形態２および実施形態３の説明においても、実施形態１に記した条件１、すなわち、予約録画が設定されたコンテンツに対して、予約録画が設定されたマイディスクの枚数が許諾されているダビングの回数以下であること、の条件が満たされているものとして説明を行ってきたが、本発明はこれに限定されるものではない。
【０３８１】
具体的には、上記の条件が満たされない場合であっても、以下の例１および例２に示すようなダビング制御を行うことも可能である。
【０３８２】
例１）
例えば、同一のコンテンツをダビング対象とするマイディスクが３枚であり、録画予約するコンテンツのダビング可能回数が３回（コピー２回＋ムーブ１回）である場合には、すべてのマイディスクに対して「Ｎｏ  Ｍｏｒｅ  Ｃｏｐｙ」なコンテンツとしてコピーする事しかできなくなる。すなわち、コピー先のマイディスク３枚すべてが、これ以上のコピーが不可能なコンテンツとしてコピーされたディスクとなる。
【０３８３】
従って、録画予約したコンテンツをダビングしたマイディスクからコンテンツのバックアップ（コピー）をしようとしてもできない状態になってしまう。このような状況を回避するために、レコーダ装置１００では、以下に示すいずれかのダビング処理を行うことが好ましい。
【０３８４】
ダビング処理１）
まず、録画予約が設定されたマイディスクの順位付けを行い、最も順位の高いマイディスクに対してはコピー１回＋ムーブ１回が可能なコンテンツとしてコピーを行う。続いて、２番目に順位の高いマイディスクに対して、「Ｎｏ  Ｍｏｒｅ  Ｃｏｐｙ」なコンテンツとしてコピーを行う。３番目の順位のマイディスクに対しては、コンテンツのコピーを行わない。
【０３８５】
ダビング処理２）
録画予約が設定されたマイディスクの順位付けを行い、最も順位の高いマイディスクに対して、コピー２回＋ムーブ１回が可能なコンテンツとしてコピーを行う。残り２枚のマイディスクに対しては、コンテンツのコピーを行わない。
【０３８６】
このようにして、録画予約が設定されたマイディスクの枚数よりも実際にコピーするマイディスクの枚数を限定したコピー制御を行うことにより、ダビング先のマイディスクからコンテンツのバックアップを行うことができ、ユーザーの利便性が増すことになる。
【０３８７】
なお、上記ダビング処理１を含むようなダビング処理のフローチャートを図２７に示す。
【０３８８】
図２７は、予約録画が設定されたコンテンツに対して、予約録画が設定されたマイディスクの枚数が許諾されているダビングの回数以下ではない場合にも適用可能なダビング処理を示すフローチャートである。
【０３８９】
図２７に示すように、まず、同一コンテンツ（コンテンツ１）に対する録画予約情報の読み込みが行われる。具体的には、バックエンド制御部２４０が、記憶部２８０のタイトル管理領域に記録された、コンテンツ１に対する録画予約情報を読み込む（ステップＳ５１）。
【０３９０】
次に、バックエンド制御部２４０は、コンテンツ１をダビング対象とするマイディスクが複数であるか否かの判定を行う（ステップＳ５２）。
【０３９１】
コンテンツ１をダビング対象とするマイディスクが１枚である場合には（ステップＳ５２においてＮｏ）、特定の１枚のマイディスクの選択処理を終了する。
【０３９２】
コンテンツ１をダビング対象とするマイディスクが複数枚である場合には（ステップＳ５２においてＹｅｓ）、バックエンド制御部２４０は、記憶部３４０の管理領域に記録された管理ユーザー情報を読み込み、複数のマイディスクに対して複数の管理ユーザーが設定されているかどうかの判定を行う（ステップＳ５３）。
【０３９３】
複数のマイディスクに対して１人の管理ユーザーのみが設定されている場合には（ステップＳ５３においてＮｏ）、バックエンド制御部２４０は、複数のマイディスクのうち、２枚のマイディスクを特定のマイディスクとして仮選定し、仮選定された２枚のマイディスクに対して、ダビング可能回数をそれぞれｍ回，ｎ回に仮設定し、それ以外のマイディスクに対しては、ダビング可能回数を１回に仮設定する（ステップＳ５７）。
【０３９４】
例えば、一番最初に録画予約されたマイディスクと２番目に録画予約されたマイディスクとを上記特定のマイディスクに仮選定し、それぞれダビング可能回数をｍ回，ｎ回（ｎ＜ｍとする）に設定しても良いし、特定のユーザーが使用・管理するマイディスクを上記特定のマイディスクに仮選定しても良い。
【０３９５】
一方で、複数のマイディスクに対して複数の管理ユーザーが設定されている場合には（ステップＳ５３においてＹｅｓ）、バックエンド制御部２４０は、記憶部３４０の管理領域に当該複数の管理ユーザーに対する優先度が設定されているか否かの判定を行う（ステップＳ５４）。
【０３９６】
優先度の設定がなされていない場合には（ステップＳ５４においてＮｏ）、バックエンド制御部２４０は、複数のマイディスクのうち、２枚のマイディスクを特定のマイディスクとして仮選定し、仮選定された２枚のマイディスクに対して、ダビング可能回数をそれぞれｍ回，ｎ回に仮設定し、それ以外のマイディスクに対しては、ダビング可能回数を１回に仮設定する（ステップＳ５７）。
【０３９７】
優先度の設定がなされている場合には（ステップＳ５４においてＹｅｓ）、バックエンド制御部２４０は、マイディスクを、対応する管理ユーザーの優先度に応じて順位付けする（ステップＳ５５）。
【０３９８】
続いて、バックエンド制御部２４０は、順位付けされたマイディスクのうち、優先度が上位２番目までのマイディスクを特定のマイディスクとして仮選定する。そして、優先度が最上位のマイディスクに対して、ダビング可能回数をｍ回に仮設定し、優先度が２番目のマイディスクに対して、ダビング可能回数をｎ回に仮設定し（ｎ＜ｍとする）、優先度が３番目以下のマイディスクに対して、ダビング可能回数を１回に仮設定する（ステップＳ５６）。
【０３９９】
次に、バックエンド制御部２４０は、録画予約したコンテンツのダビング許諾情報の読み込みを行う（ステップＳ５８）。
【０４００】
そしてバックエンド制御部２４０は、ステップＳ５６もしくはＳ５７において各マイディスクに割り振られたダビング可能回数の総和が、コンテンツのダビング可能情報におけるダビング可能回数以下であるかどうかの判定を行う（ステップＳ５９）。
【０４０１】
ステップＳ５６もしくはＳ５７において各マイディスクに割り振られたダビング可能回数の総和が、コンテンツのダビング許諾情報におけるダビング可能回数以下である場合には、ステップＳ５６もしくはＳ５７において仮設定したダビング可能回数を最終的なダビング可能回数として選定する（ステップＳ６１）。
【０４０２】
ステップＳ５６もしくはＳ５７において各マイディスクに割り振られたダビング可能回数の総和が、コンテンツのダビング許諾情報におけるダビング可能回数以下でない場合には、仮設定したマイディスクへのダビング可能回数の総和が、コンテンツのダビング可能回数以下となるように、再設定を行う（ステップＳ６０）。
【０４０３】
例えば、同一のコンテンツをダビング処理対象とするマイディスクが３枚であり、コンテンツのダビング可能回数が３回（コピー２回＋ムーブ１回）である場合には、マイディスクの順位付けを行い、最も順位の高いマイディスクに対してはコピー１回＋ムーブ１回が可能なコンテンツとしてコピーを行い、２番目に順位の高いマイディスクに対して、「Ｎｏ  Ｍｏｒｅ  Ｃｏｐｙ」なコンテンツとしてコピーを行い、３番目の順位のマイディスクに対しては、コンテンツのコピーを行わないとして上記の再設定を行うことができる。
【０４０４】
なお、上記のフローチャートにおいては、ユーザーへ選択肢を提示する処理が含まれていないが、もちろん、そのような処理を追加することも可能である。
【０４０５】
また、上記の例では、特定のマイディスクが２枚の場合を例にとり、説明を行ったが、特定のマイディスクが１枚である場合や、３枚以上である場合であっても、同様のダビング処理を行うことができる。
【０４０６】
例２）
同一のコンテンツをダビング対象とするマイディスクが３枚である場合に、録画予約するコンテンツのダビング可能回数が２回（コピー１回＋ムーブ１回）である場合にも上述した処理と同様の処理を用いることができる。すなわち、録画予約が設定されたマイディスクの順位付けを行い、最も順位の高いマイディスクに対して、コピー１回＋ムーブ１回が可能なコンテンツとしてコピーを行い、残り２枚のマイディスクに対しては、コンテンツのコピーを行わないようにする。
【０４０７】
このようにして、あるコンテンツをダビング対象とするマイディスクの枚数よりも実際にコピーするマイディスクの枚数を制限してコピー制御を行うことにより、ダビング先のマイディスクからコンテンツのバックアップを行うことができ、ユーザーの利便性が増すことになる。
【０４０８】
また、実施形態１に記した条件１、すなわち、予約録画が設定されたコンテンツに対して、予約録画が設定されたマイディスクの枚数が許諾されているダビングの回数以下であること、の条件が満たされている場合であっても、少なくとも１枚のマイディスクに複数回のダビング回数（コピー回数＋ムーブ回数）を設定しようとすると、当該コンテンツに設定されたダビング可能回数を超えてしまう場合には、以下の例３および例４に示すようなダビング制御を行っても良い。
【０４０９】
例３）
例えば、ダビング可能回数が３回（コピー２回＋ムーブ１回）であるコンテンツをダビング対象とするマイディスクが３枚である場合に、特定の１枚以外のマイディスクにコンテンツをダビングした時点で、特定の１枚のマイディスクに対してダビング可能回数２回（コピー１回＋ムーブ１回）としてダビングを行うことができなくなる。
【０４１０】
このような状況を回避するためには、特定の１枚のマイディスクへのダビング可能回数の確保を最優先事項とするようにすれば良い。例えば、特定の１枚のマイディスクに対し、コピー２回＋ムーブ１回のコンテンツとしてダビングを行い、残りの２枚のマイディスクにはコピーしないとすれば良い。すなわち、ダビング対象とするマイディスク枚数よりも実際にコピーするマイディスクの枚数を制限するコピー制御を行っても良い。
【０４１１】
例４）
例えば、ダビング可能回数が１０回（コピー９回＋ムーブ１回）であるコンテンツをダビング対象とするマイディスクが３枚であり、ある１枚のマイディスクに対してダビング可能回数を８回（コピー７回＋ムーブ１回）とし、別のマイディスクに対してダビング可能回数を２回（コピー１回＋ムーブ１回）としてダビングを行いたい場合であっても、これら以外のマイディスクに対してコンテンツをコピーしてしまうと、２枚のマイディスクに対しては所望のダビング可能回数を確保したダビングを行うことができなってしまう。
【０４１２】
このような状況を回避するためには、２枚のマイディスクへのダビング可能回数の確保を最優先事項とするようにすれば良い。例えば、２枚のマイディスクのうち１枚のマイディスクに対し、コピー７回＋ムーブ１回のコンテンツとしてダビングを行い、別の１枚のマイディスクに対し、コピー１回＋ムーブ１回のコンテンツとしてダビングを行い、残り１枚のマイディスクに対しては、ダビングを行わないとすれば良い。録画予約が設定されたマイディスクの枚数よりも実際にコピーするマイディスクの枚数を制限し、ダビング可能回数を当初設定内容から適時変更するダビング制御を行っても良い。
【０４１３】
もしくは、２枚のマイディスクのうち、１枚のマイディスクに対して、コピー７回＋ムーブ１回のコンテンツとしてコピーを行い、その他の２枚のマイディスクに対しては、これ以上のコピーが不可能（Ｎｏ  Ｍｏｒｅ  Ｃｏｐｙ）なコンテンツとしてダビングを行うとすることによって、録画予約が設定されたマイディスクの枚数よりも実際にコピーするマイディスクの枚数を制限したり、ダビング可能回数を当初設定内容から適時変更するダビング制御を行っても良い。
【０４１４】
上記のようなダビング制御を行うことによって、ユーザーがダビング可能回数を確保したい重要なマイディスクなどの記録媒体に対して、優先的にダビング可能回数を割り振った状態でコンテンツのダビングを行うことができる。
【０４１５】
なお、上記の説明におけるコンテンツのダビング可能回数は、当該コンテンツの録画予約時点では明らかでなく、当該コンテンツの実際の録画が開始した後に判明するような場合もあり得る。このような場合であっても、本発明を適用することが可能である。
【０４１６】
また、複数のマイディスクに対して、同一ＴＶ番組（デジタルテレビ放送番組）の録画予約が設定された場合でも、これら複数のマイディスクのすべてに対する録画予約である必要は無く、少なくとも１枚のマイディスクに対しては録画予約ではなくダイレクト録画であっても良い（ここで、ダイレクト録画とは、該当のＴＶ番組が放送開始された時に、ユーザーがリモコンや録画装置本体の録画ボタンを操作する事により録画を行う事である。）。
【０４１７】
例えば、既に少なくとも１枚のマイディスクに対して録画予約が設定されているコンテンツに対して、レコーダ装置１００を操作しているユーザーが、録画予約が設定されたマイディスクとは別のマイディスクをレコーダ装置１００に装填して、当該コンテンツのダイレクト録画の操作を行った場合であっても、上記実施形態において説明してきた方法と同様に、ダビング可能回数内での該当コンテンツのコピーが可能である。
【０４１８】
また更に言えば、上記実施形態の説明では、着脱型記録媒体として代表的なディスクを例にとり説明を行ったが、もちろん、ディスクに限定するものではなく、ディスク以外の著作権保護技術に対応可能なリムーバルな記録媒体であれば本件は実施可能である。具体的な記録媒体としては、リムーバルＨＤＤ、ＳＳＤ（Ｓｏｌｉｄ  Ｓｔａｔｅ  Ｄｉｓｋ）、各種メモリカードなどが挙げられる。
【０４１９】
（記録媒体およびプログラム）
（プログラムおよび記録媒体）
レコーダ装置１００に含まれているバックエンド制御部２４０およびドライブ制御部３２０は、ハードウェアロジックによって構成すれば良い。または、次のように、ＣＰＵ（Central Processing Unit）を用いてソフトウェアによって実現しても良い。
【０４２０】
すなわち、バックエンド制御部２４０およびドライブ制御部３２０は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０４２１】
そして、本発明の目的は、バックエンド制御部２４０およびドライブ制御部３２０のプログラムメモリに固定的に担持されている場合に限らず、上記プログラムのプログラムコード（実行形式プログラム、中間コードプログラム、または、ソースプログラム）を記録した記録媒体をレコーダ装置１００に供給し、レコーダ装置１００が上記記録媒体に記録されている上記プログラムコードを読み出して実行することによっても、達成可能である。
【０４２２】
上記記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０４２３】
また、バックエンド制御部２４０およびドライブ制御部３２０（またはレコーダ装置１００）を通信ネットワークと接続可能に構成しても、本発明の目的を達成できる。この場合、上記のプログラムコードを、通信ネットワークを介してバックエンド制御部２４０およびドライブ制御部３２０に供給する。この通信ネットワークはバックエンド制御部２４０およびドライブ制御部３２０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であれば良い。
【０４２４】
この通信ネットワークを構成する伝送媒体も、プログラムコードを伝送可能な任意の媒体であればよく、特定の構成または種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０４２５】
また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０４２６】
本発明に係る録画装置は、ＢＤレコーダまたはＤＶＤレコーダとして好適に利用することができる。
【符号の説明】
【０４２７】
１００      レコーダ装置（録画装置）
２００      バックエンド部（設定手段、選択手段）
２１０      チューナー部
２２０      エンコーダ部
２３０      ストリーム処理部
２４０      バックエンド制御部
２５０      バッファ部
２６０      デコーダ部
２７０      画像処理部
２８０      記憶部
２９０      インターフェース部
３００      ドライブ部
３１０      インターフェース部
３２０      ドライブ制御部（第１の記録手段、第２の記録手段、消去手段）
３３０      ディスクドライブ部
３４０      記憶部（着脱不能な記録媒体）
【図１】
2011014218.tif 000003
【図２】
2011014218.tif 000004
【図３】
2011014218.tif 000005
【図４】
2011014218.tif 000006
【図５】
2011014218.tif 000007
【図６】
2011014218.tif 000008
【図７】
2011014218.tif 000009
【図８】
2011014218.tif 000010
【図９】
2011014218.tif 000011
【図１０】
2011014218.tif 000012
【図１１】
2011014218.tif 000013
【図１２】
2011014218.tif 000014
【図１３】
2011014218.tif 000015
【図１４】
2011014218.tif 000016
【図１５】
2011014218.tif 000017
【図１６】
2011014218.tif 000018
【図１７】
2011014218.tif 000019
【図１８】
2011014218.tif 000020
【図１９】
2011014218.tif 000021
【図２０】
2011014218.tif 000022
【図２１】
2011014218.tif 000023
【図２２】
2011014218.tif 000024
【図２３】
2011014218.tif 000025
【図２４】
2011014218.tif 000026
【図２５】
2011014218.tif 000027
【図２６】
2011014218.tif 000028
【図２７】
2011014218.tif 000029